(57)【要約】多層記録型の情報記録媒体において、ＣＬＶ方式を採用しつつ記録用同期クロックなどのタイミング情報を高精度で発生させる。ＣＬＶ方式の情報記録媒体（１１）は、予めトラック（ＴＲ）が形成されたガイド層（１２）と、該ガイド層上に積層された複数の記録層（１３）とを備える。トラックには、ガイド用のガイド情報の一種類として記録層に記録するためのタイミング情報を担持する物理構造を夫々有する複数のガイド領域（２２）が、トラック方向に予め設定された所定距離以下の配置間隔にて離散的に、且つ径方向に相隣接する複数のトラックに渡って該複数のトラック間でずらされて、配置されている。
2011158376.tif 000002
【特許請求の範囲】
【請求項１】
ＣＬＶ方式の情報記録媒体であって、
予めトラックが形成されたガイド層と、
該ガイド層上に積層された複数の記録層と
を備え、
前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、
前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている
ことを特徴とする情報記録媒体。
【請求項２】
前記トラックは、少なくとも一部において、グルーブ構造を有するグルーブトラックとランド構造を有するランドトラックとが、交互に形成されてなり、
前記物理構造は、前記トラック方向に所定範囲の長さを有する１つ以上のマーク群を有する
ことを特徴とする請求項１に記載の情報記録媒体。
【請求項３】
前記複数のガイド領域は、前記トラック方向に所定長さの緩衝領域を含み、
該緩衝領域は、少なくとも一部において、前記グルーブトラックがストレートグルーブ構造を有すると共に前記ランドトラックがストレートランド構造を有してなる
ことを特徴とする請求項２に記載の情報記録媒体。
【請求項４】
前記複数のガイド領域は、前記グルーブトラックとランドトラックとを相互に切り替えるためのランド／グルーブ切替領域を含み、
該ランド／グルーブ切替領域は、少なくとも一部において、前記トラックに沿って前記スロットの整数倍の長さを有する
ことを特徴とする請求項２に記載の情報記録媒体。
【請求項５】
前記ランド／グルーブ切替領域は、前記スロットの整数倍を単位として、前記径方向に揃うように配置されていることを特徴とする請求項４に記載の情報記録媒体。
【請求項６】
前記複数のスロットは、前記トラック方向の長さが相互に等しく、前記トラック方向に隙間無く配列されていることを特徴とする請求項１に記載の情報記録媒体。
【請求項７】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持することを特徴とする請求項１に記載の情報記録媒体。
【請求項８】
前記ガイド領域が配置される複数のスロットは、(i)少なくとも前記記録層に対する情報記録時に前記トラックに対して照射され且つ集光される光ビームにより、前記トラック上に形成される光スポットの径と、(ii)前記トラックの前記径方向のピッチと、(iii)前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、(iv)前記スロットの前記トラック方向の長さとに基づいて、前記光スポット内に同時に含まれない複数のスロットとして選定されていることを特徴とする請求項１に記載の情報記録媒体。
【請求項９】
前記物理構造は、前記ガイド情報の他種類として、前記トラック方向に沿って内周から外周又は外周から内周へ向うアドレス位置を示すアドレス情報を担持することを特徴とする請求項１に記載の情報記録媒体。
【請求項１０】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたタイミング情報を取得する情報取得手段と、
前記取得されたタイミング情報により規定されるタイミングで、前記一の記録層に前記第２光ビームを照射し且つ集光することで、前記データを記録するように前記光照射手段を制御するデータ記録制御手段と
を備えることを特徴とする情報記録装置。
【請求項１１】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたタイミング情報を取得する情報取得工程と、
前記取得されたタイミング情報により規定されるタイミングで、前記一の記録層に前記第２光ビームを照射し且つ集光することで、前記データを記録するように前記光照射手段を制御するデータ記録制御工程と
を備えることを特徴とする情報記録方法。
【請求項１２】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたタイミング情報を取得する情報取得手段と、
前記取得されたタイミング情報により規定されるタイミングで、前記一の記録層からの前記照射され且つ集光された第２光ビームに基づく第２光を受光し、該受光された第２光に基づき前記データを取得するデータ取得手段と
を備えることを特徴とする情報再生装置。
【請求項１３】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたタイミング情報を取得する情報取得工程と、
前記取得されたタイミング情報により規定されるタイミングで、前記一の記録層からの前記照射され且つ集光された第２光ビームに基づく第２光を受光し、該受光された第２光に基づき前記データを取得するデータ取得工程と
を備えることを特徴とする情報再生方法。
【発明の詳細な説明】
【技術分野】
【０００１】
本発明は、例えば多層型或いは多層記録型の光ディスク等の情報記録媒体、該情報記録媒体に情報を記録する記録装置及び方法、並びに該情報記録媒体から情報を再生する情報再生装置及び方法の技術分野に関する。
【背景技術】
【０００２】
この種の情報記録媒体では、予めトラックが形成された単一のガイド層上に、複数或いは多数の記録層が重ねて形成されており、ガイド層を用いて記録層における記録や再生が行われる（例えば、特許文献１から３参照）。【０００３】
具体的には、その記録時や再生時には、トラッキング用の第１光ビーム（例えばＤＶＤと同じく赤色レーザからなるガイド光ビーム或いはサーボ光ビーム）が照射され、記録層を介してガイド層に集光される。これにより、各記録層に対するトラッキングが可能となる。即ち、ガイド層に対するフォーカスサーボ及びガイド層に予め形成されたトラックを用いてのトラッキングサーボが可能となる。【０００４】
このようなトラッキング動作と並行して、同一の光ピックアップを用いる或いは同一の対物レンズを介するなど、第１ビームとの位置関係が固定されている若しくは既知である情報記録再生用の第２ビーム（例えば、ブルーレイと同じく青色レーザからなるメイン光ビーム）が、典型的には第１ビームに同心的に重ねられた形で照射され、記録又は再生対象となっている一の記録層に集光される。これにより、各記録層における情報の記録や再生が可能となる。即ち、各記録層に対するフォーカスサーボ及び情報の書込若しくは読取が可能となる。
【先行技術文献】
【特許文献】
【０００５】
【特許文献１】特開平４−３０１２２６号公報
【特許文献２】特開２００３−６７９３９号公報
【特許文献３】国際公開ＷＯ２００９／０３７７７３号公報
【発明の概要】
【発明が解決しようとする課題】
【０００６】
しかしながら、特許文献に開示された技術では、ガイド層を照射する第１ビームと記録層を照射する第２ビームのディスク上の各ビーム径が異なり、ガイド層に比べ記録層が、「高密度記録」となる場合、ガイド層のトラッキング精度は、相対的に大径である第１ビーム径から算出されるトラックピッチで制御され、それに基づいて記録層のトラッキングが行われる。このため、相対的に小径である第２ビーム径から算出され得るトラッキング精度より粗くなり、ついては高密度記録により隣接トラックからのクロストーク等の増加により特性劣化を招く。【０００７】
更に、情報記録時には、トラッキングの実行のみならず、例えば既存フォーマットで記録されたデータと再生互換性を有するフォーマットにより記録を行うためには、所定の帯域の記録用同期クロックを、ガイド層から発生させる必要性も生じる。しかしながら、上述の如きクロストーク等の増加により、ガイド層から記録用同期クロックを発生させることも困難となる。【０００８】
また、ガイド層のトラックピッチが記録層のトラックピッチと略等しくなる高密度記録とした時には、第１ビームはガイド層の複数本のトラック領域を一度に照射することになり、目標トラックに追従することが極めて困難になる。この結果、同期クロックを高精度で発生させることも極めて困難になるという技術的課題がある。【０００９】
特に、ＣＬＶ（Constant Linear Velocity）方式を採用した場合、ディスク盤面上の利用効率を高くし且つ高密度記録を達成することは極めて困難である。また、ガイド層のアドレス構成方法についても開示されていない。【００１０】
本発明は、例えば上述した問題点に鑑みなされたものであり、ＣＬＶ方式を採用しつつ記録用同期クロックなどのタイミング情報を高精度で発生させることを可能ならしめる多層型の情報記録媒体、そのような情報記録媒体に情報を記録する記録装置及び方法、並びにそのような情報記録媒体から情報を再生する情報再生装置及び方法を提供することを課題とする。
【課題を解決するための手段】
【００１１】
本発明の情報記録媒体は上記課題を解決するために、ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている。【００１２】
本発明の情報記録装置は上記課題を解決するために、上述した本発明の情報記録媒体に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記担持されたタイミング情報を取得する情報取得手段と、前記取得されたタイミング情報により規定されるタイミングで、前記一の記録層に前記第２光ビームを照射し且つ集光することで、前記データを記録するように前記光照射手段を制御するデータ記録制御手段とを備える。【００１３】
本発明の情報記録方法は上記課題を解決するために、上述した本発明の情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記担持されたタイミング情報を取得する情報取得工程と、前記取得されたタイミング情報により規定されるタイミングで、前記一の記録層に前記第２光ビームを照射し且つ集光することで、前記データを記録するように前記光照射手段を制御するデータ記録制御工程とを備える。【００１４】
本発明の情報再生装置は上記課題を解決するために、上述した本発明の情報記録媒体から、データを再生する情報再生装置であって、前記ガイド層にトラッキング用の第１光ビームを照射し且つ集光することが可能であると共に前記複数の記録層のうち一の記録層にデータ再生用の第２光ビームを照射し且つ集光することが可能である光照射手段と、前記ガイド層からの前記照射され且つ集光された第１光ビームに基づく第１光を受光し、該受光された第１光に基づき前記担持されたタイミング情報を取得する情報取得手段と、前記取得されたタイミング情報により規定されるタイミングで、前記一の記録層からの前記照射され且つ集光された第２光ビームに基づく第２光を受光し、該受光された第２光に基づき前記データを取得するデータ取得手段とを備える。【００１５】
本発明の情報再生方法は上記課題を解決するために、上述した本発明の情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記担持されたタイミング情報を取得する情報取得工程と、前記取得されたタイミング情報により規定されるタイミングで、前記一の記録層からの前記照射され且つ集光された第２光ビームに基づく第２光を受光し、該受光された第２光に基づき前記データを取得するデータ取得工程とを備える。【００１６】
本発明のこのような作用及び利得は次に説明する実施の形態から明らかにされる。
【図面の簡単な説明】
【００１７】
【図１】本発明の実施例に係る、情報記録媒体の基本構成を示す模式的な斜視図である。
【図２】実施例における、ガイド用の第１ビーム及び記録（若しくは再生）用の第２ビームを集光する対物レンズと、情報記録媒体とを示す、模式的な部分拡大断面図である。
【図３】実施例における、ガイド層のグルーブトラック及びランドトラックに夫々設けられる、三つの領域が配置されているトラックの構成、及び三つの領域の各々内の構造を示す概念図である。
【図４】実施例における、グルーブトラック、ランドトラック及び切替エリアが設けられたガイド層の図式的な平面図である。
【図５】実施例における、ランド／グルーブ切替エリアの一具体例を示す概念図である
【図６】実施例における、ランド／グルーブ切替エリアの他の具体例を示す概念図である。
【図７】図４〜図６に示したランド／グルーブ切替エリア全体の構成方法の１形態を示す概念図である。
【図８】実施例における、記録されるデータの構成例と１グループ乃至はスロット構成との関係を示す概念図である。
【図９】実施例における、図８に示した１グループを構成する各スロット内における、各種領域或いはデータのアサインの一具体例である。
【図１０】実施例における、グルーブトラック及びランドトラック上のマークの配置と読み取りビーム径との関係（条件）を示す、ガイド層の図式的な部分拡大平面図である。
【図１１】実施例における、グルーブトラック及びランドトラック上の緩衝領域の長さと、スロット数との関係として図１２と対比した例を示す、ガイド層の図式的な部分拡大平面図である。
【図１２】実施例における、グルーブトラック及びランドトラック上の緩衝領域の長さと、スロット数との好適な関係の例を示す、ガイド層の図式的な部分拡大平面図である。
【図１３】グルーブマーク離散配置構成例における、マークの分散配置と、トラック横切り信号との関係を示す、ガイド層の図式的な部分拡大平面図である。
【図１４】グルーブ構成例における、グルーブトラッキング方式の場合のトラック横切り信号がビーム径に比して狭いトラック間隔により制限を受ける例を示す、ガイド層の図式的な部分拡大平面図である。
【図１５】ランド／グルーブ構成例における、ランド／グルーブトラッキング方式の場合のトラック横切り信号の制限の緩和策の一例を示す、ガイド層の図式的な部分拡大平面図である。
【図１６】グルーブトラック及びランドトラック上に分散配置されたマークの検出方法の実施形態を、その記録再生装置における受光部と共に示す、ガイド層の図式的な部分拡大斜視図である。
【図１７】グルーブトラック及びランドトラック上に形成されるマークの例及び連続グルーブを示す、ガイド層の図式的な部分拡大斜視図である。
【図１８】実施例における、信号分離部の一具体例を、分離により得られる信号と共に示す、図式的なブロック図である。
【図１９】実施例における、グルーブトラック及びランドトラック上のマークのサーボ信号への影響を示す、ガイド層の図式的な部分拡大平面図である。
【図２０】隣接グルーブトラック及びランドトラック上のマークが隣接との重なりによりデータ取得への影響を及ぼす場合を示す、ガイド層の図式的な部分拡大平面図である。
【図２１】実施例における、記録層上にデータが記録される様子を示し、切替領域においてもデータが連続して記録される様子を示す、切替領域が設けられたガイド層及び記録層の模式的な斜視図である。
【図２２】実施例における、記録層上へのデータを任意の位置から記録開始できることを示す、切替領域が設けられたガイド層及び記録層の模式的な斜視図である。
【図２３】実施例における、グルーブトラック及びランドトラック上のマークの適応的な離散配置の一例を示す、ガイド層の図式的な部分拡大平面図である。
【図２４】実施例における、情報記録再生装置のブロック図である。
【図２５】実施例における、図２４に示した情報記録再生装置のうち、信号記録再生部の一例を示すブロック図である。
【図２６】実施例における、図２５に示した信号記録再生部のうち、記録クロック生成部の一例を示すブロック図である。
【図２７】実施例における、図２６に示した記録クロック生成部が有する、記録クロック生成用ＰＬＬのオープンループ特性の一例を示す特性図である。
【図２８】実施例における、図２４に示した情報記録再生装置による記録スタートタイミングの生成の一例を示す、タイミングチャートである。
【図２９】実施例における、情報記録再生方法のフローチャートである。
【図３０】実施例における、新規ディスクに対する記録方法のフローチャートである。
【図３１】実施例における、再生装置での新規ディスクに対する再生方法のフローチャートである。
【図３２】実施例における、再生装置での新規ディスクに対する再生方法の他の例を示すフローチャートである。
【図３３】実施例における、再生装置での新規ディスクに対する再生方法の他の例を示すフローチャートである。
【図３４】一の変形例における、ガイド領域の構造を示す模式的な拡大平面図である。
【図３５】他の変形例における、ガイド領域内の構造を示す模式的な拡大平面図である。
【図３６】他の変形例における、ガイド領域内の構造を示す模式的な拡大平面図である。
【図３７】他の変形例における、光ディスクの図１と同趣旨の模式的な斜視図である。
【発明を実施するための形態】
【００１８】
以下、発明を実施するための最良の形態として、駆動装置に係る実施形態について順に説明する。
（情報記録媒体）
＜１＞
本実施形態の情報記録媒体は上記課題を解決するために、ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている。
【００１９】
しかも、前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている。
【００２０】
本実施形態の情報記録媒体によれば、典型的には、ガイド層に設けられたトラックをガイド用或いはトラッキング用に利用することで、該ガイド層上又は下に積層されている複数の記録層のうちの所望の記録層に対し、該トラックに沿って、ＣＬＶ（Constant Linear Velocity）方式にて光学的に情報を記録することが可能とされる。更に、同じくトラックをガイド用に利用することで又は利用することなく、記録済とされた所望の記録層から、ＣＬＶ方式にて光学的に情報を再生することが可能とされる。
【００２１】
ここに「ガイド層」とは、典型的には少なくとも各記録層への情報記録時或いは書込時に、各記録層に係る記録面内の位置（即ち、記録面に沿った、径方向の位置及びトラック方向の位置）を、ガイド用或いはトラッキング用の第１光ビーム（以下単に「第１光ビーム」と呼ぶ）により、ガイドする又は案内するための層を意味する。「ガイド層」は、典型的には、トラッキングエラー信号（或いはその元となるウォブル信号やプリピット信号など）が発生可能に構成されたトラックが予め物理的に作り込まれている層である。
【００２２】
またガイド層に形成される「トラック」とは、少なくとも情報記録時に、第１光ビームがなぞられる或いは追従される軌道を意味し、典型的には、例えば、ウォブリングされたり、これに加えて又は代えてピットが形成されたグルーブトラック又はランドトラックとして、ガイド層内或いはガイド層上に予め物理的に作り込まれている。なお、記録層において記録後に形成される情報トラックは、当初はトラックが何も無かった記録面内にて、記録された情報ピットの並び或いは配列として構築される点で、ここにいう予め作りこまれた「トラック」とは、明確に区別される。
【００２３】
このようにガイドされる、ガイド層内のトラック上の第１光ビームの各位置に対応する、所望の記録層における、記録後に情報トラック上をなす各位置にて、典型的には、情報記録用或いは情報書込用の第２光ビーム（以下単に「第２光ビーム」と呼ぶ）による情報記録が行われる。
【００２４】
なお、ガイド層は、典型的には、全記録層に対して一層だけ設けられていれば足りるが、例えば二層など複数備えられて、各々が適宜に用いられる或いは役割分担される構成でもかまわない。いずれにせよ、ガイド層と複数の記録層とは、相互に別層として設けられる。
【００２５】
複数の記録層は、例えば１６層など、各々に独立して情報を記録可能更に再生可能となるように構成される。複数の記録層は夫々、未記録状態では、例えばストレートグルーブ若しくはストレートランド又は鏡面など、なるべく単純な構造を持つのが好ましい。複数の記録層の相互間の位置合わせや、ガイド層との間での位置あわせが殆ど又は実践上全く不要であるのが、製造上好ましいからである。記録層の構造は、光ビームの照射側から見て、奥側の記録層或いはガイド層に対しても、光ビームが到達するように、各々の記録層における透過率及び反射率が所定範囲に収まるよう設定された各種記録方式で記録可能に構成されている。
【００２６】
より具体的には、情報記録時には、例えば、ガイド層に存在するトラックに対し、第１光ビーム（例えば、比較的大径の光スポットを形成する赤色レーザ）が集光された場合に得られる反射光から、記録用同期クロックであるタイミング情報が、検出或いは取得される。更にこの反射光から、トラッキングエラー信号（或いはその元となるウォブル信号及びこれに加えてプリピット信号）が検出可能とされる。このタイミング情報により規定されるタイミングで、既存フォーマットに準拠した所定の帯域にての情報記録が可能となる。この際、例えば、トラッキングエラー信号に従って、ガイド動作の一種としてトラッキング或いはトラッキングサーボが実行可能とされる。このトラッキングが行われている或いはトラッキングサーボが閉じられている状態で、トラックの上層又は下層側における所望の記録層に対し、第２光ビーム（例えば、比較的小径の光スポットを形成する青色レーザ）が集光されることで、情報の記録が行われる。言い換えれば、ガイド層に予め形成されたトラックの位置を基準として、予めトラック或いはトラックの如きが何ら存在していない（例えば、鏡面状態）他の層である所望の記録層における情報を記録する際の面内位置決めが行われる。（なお、フォーカスについては集光する際に別途行われている。）
ここで、光ピックアップ等における、第１及び第２光ビームを照射する光学系が固定されていれば、それらにより形成される光スポットの位置関係も固定されている。このため、第１光ビームの位置（即ち、それにより形成されるトラック上の光スポットの位置）についてトラッキングサーボ等のガイド動作を実行することは、第２光ビーム（即ち、それにより形成される記録面内における光スポットの位置）についても、再現性を持ってガイド動作を行っていることになる。言い換えれば、予め存在するトラック上における第１光ビームを利用して、予めトラックが存在しない記録面内における第２光ビームを、トラッキング或いはガイド可能となる。
【００２７】
このような記録方式を採用すれば、相互に積層形成される、ガイド層及び各記録層間で、或いは複数の記録層の相互間で、トラック相互間の記録面に沿った方向についての位置合わせを行う必要が元より殆ど又は実践上全くない。これは、製造上極めて有利である。
【００２８】
他方、情報再生の際には、同様にトラックはガイド用に利用されてもよいし、或いは、この情報再生の際には、既に記録層に書き込まれた情報を追従することで、ガイド層をガイド用に（典型的には、タイミング発生用やトラッキング用に）利用することなく、記録後の情報トラックに対してトラッキング動作を行うことで再生することも可能である。
【００２９】
ガイド層に形成されたトラックには、ガイド情報を担持する物理構造を夫々有する複数のガイド領域が、配置されている。ここに「ガイド情報」とは、第１光ビームをガイド若しくは案内する又は追従させるための情報であり、典型的には、光学的にトラッキングエラー信号（或いはその元となるグルーブ信号、ウォブル信号及びこれに加えてプリピット信号等）を発生させるための情報である。更に、ガイド情報は、タイミングを発生させるための、或いは、用のトラッキング用の光ビームを位置決めするためのマークとなるという意味から「マーク情報」（或いは単に「マーク」）と言い換えることも出来る。
【００３０】
本実施形態では特に、このようなガイド情報の一種類として、例えば、記録用同期クロックである、複数の記録層に記録するためのタイミング情報が、ガイド領域の有する物理構造によって担持されている。
【００３１】
このようなガイド情報を担持する物理構造は、典型的には、グルーブトラック又はランドトラックの側壁又は内部若しくは外部に造作されたウォブル及びプリピット構造（即ちランドプリピット、グルーブプリピットなど）、ウォブル及び一部切欠き構造、グルーブ及びランドがない面（例えば、鏡面）上におけるプリピットの配列や連なりなどによって、実現される。ここに「物理構造」とは、論理構造、単なるデータにより構築される概念的な或いは仮想的な構造とは異なり、物理的に実在する構造を意味する。物理構造は、当該情報記録媒体の完成時に既にガイド上に造り込まれている。タイミング情報は、例えば、トラックに沿ったグルーブ又はランドの長さが変調されている複数のピット或いは凹凸の集合体であるマークとして、担持されている。
【００３２】
ここで本願発明者による研究の結果、例えば所定の帯域のタイミング情報の発生を行う、所定の帯域でトラッキングを行うなどの、ガイド動作を実行可能とするといった特定目的は、いずれかのトラックにてガイド情報を検出可能とする必要があるにせよ、従前の或いは既存の光ディスクにおけるトラックの如く、当該ガイド情報を検出するための特殊な仕掛けを、トラック方向に連続して形成しなくても、達成可能であることが判明している。即ち、ガイド情報が検出される時間間隔に相当するガイド情報の配置間隔（即ち、配置ピッチ）を、ガイド動作を可能ならしめるのに最低限必要な距離よりも小さく（例えば所定の帯域のタイミング情報の発生を可能ならしめる最長距離以下、トラッキングサーボが所定の帯域で動作可能な最長距離以下などに）設定しておく限りにおいて、トラックに沿った全域にこのような特殊な仕掛けを施しておかなくても、上記目的は達成可能であることが判明している。同時に、相隣接する複数のトラックについて言えば、径方向に揃った複数の位置或いは領域の各々に、このような特殊な仕掛けを並べておかなくても、即ち、径方向に一列に規則正しくこのような特殊な仕掛けを並べて（或いは整列させて）おかなくても、上記目的は達成可能であることが判明している。
【００３３】
そこで本発明では、複数のガイド領域は、螺旋状又は同心円状であるトラックに沿ったトラック方向（言い換えれば、トラックの接線方向）に、相互に、予め設定された所定距離又はそれ未満の距離を、配置間隔（即ち、配置ピッチ）として離散的に配置されている。ここに「所定距離」とは、典型的には、所定の帯域のタイミング情報の発生を可能ならしめる最長の距離よりも若干のマージンを持って短い距離、或いは、所定の帯域でトラッキング或いはトラッキング動作である、ガイド或いはガイド動作が機能し得る最長の距離（例えば、トラッキング動作を所定の帯域で安定的に実行可能ならしめる頻度にてトラッキング信号を連続的或いは継続的に発生し得る最長の距離）よりも若干のマージンを持って短い距離である。また、タイミング情報についての「所定の帯域」とは、例えば既存フォーマットで記録されたデータと再生互換性を有するフォーマットにより記録を行うための帯域である。トラッキングに係る「所定の帯域」とは、情報記録時に用いられる帯域との関係で定まる、トラッキング動作が行われる、データフォーマット或いはデータ規格に対して固有の帯域を意味する。
【００３４】
このような所定距離は、予め実験的、経験的に又はシミュレーション等により、固有の情報記録媒体におけるガイド層に対して、ガイド動作（典型的には、所定の帯域のタイミング情報を発生させる動作や、所定の帯域でのトラッキング動作）が機能する限界の距離を求めることと、適当なマージンを決定することで、設定されればよい。仮に、ガイド領域が、所定距離よりも長い配置間隔（即ち、配置ピッチ）で、離散的に配置されていたとすれば、例えば既存フォーマットに準拠した所定の帯域のタイミング情報が生成されない、或いは、例えば所定の帯域で安定したトラッキングサーボを可能ならしめるだけの頻度にてトラッキングエラー信号を生成できないなど、安定したガイド動作を実行できない。
【００３５】
なお「離散的に」とは、各記録層に係る記録面上で平面的に見て、相互に連続しておらず、相互間に、鏡面、緩衝領域、ガイド領域以外の領域など他の平面領域が介在している意味である。
【００３６】
複数のガイド領域は、トラックに交わる径方向（即ち、半径方向）に、相隣接する複数のトラックに渡って、該複数のトラック間でずらされて、配置されている。ここに「複数のトラックに渡って」とは、各記録層に係る記録面上で平面的に見て、相互に隣接する二本又は二本以上のトラック及びそれらの間隙を占める領域を含めて、それらに渡って或いは跨ってという意味である。また「径方向に、複数のトラック間でずらされて」とは、径方向（即ち半径方向）について複数のトラック間が同一位相（例えば、ディスク上の角度）或いは同一位相に相当する位置（例えば、ディスク上の角度位置）にない、或いは同一半径上にないという意味である。この際、相対的に径方向について近接して並ぶ複数のガイド領域は、完全に（即ち、間に間隙を隔てて）離間している必要は無く、典型的には、情報記録時又は再生時におけるトラッキングサーボ用の光ビームが、該複数のガイド領域に同時にかからない程度に（例えば５トラックに渡って）、径方向の位相がずらされていれば足りる。或いは、光ビームにより、該複数のガイド領域から読み取り可能な信号や情報が相互から識別可能である程度にずらされていれば足りる。
【００３７】
このため、光ビームのスポットが相隣接する二つの或いは二つ以上のトラック或いはトラック部分に跨るまで（例えば５トラックに渡るまで）トラック密度を高めても、これに対応してガイド領域が上述の如くずらされている限りにおいて、トラック方向及び径方向の双方についてガイド情報が重なること（或いは他のガイド領域からの信号成分がノイズとして影響を及ぼすこと）に起因して、即ち検出されるガイド情報のクロストークにより、ガイド情報が検出不能となってしまう事態が回避可能となる。このようにトラック密度を高めても、ガイド或いはトラッキングが可能となり、ガイド層としての、典型的にはトラッキング信号を発生する本来の機能や、記録用同期クロックなどの所定の帯域のタイミング信号を発生させる機能は保証される。
【００３８】
従って、第１光ビームがガイド層における相隣接する複数のトラックに同時に照射される程度に、第１光ビームの径に対して、トラックピッチを狭めつつも、例えば既存フォーマットに準拠した記録用同期クロックを発生することが可能となり、これに加えて、例えば第１光ビームに起因する反射光等から得られるプッシュプル信号をサンプリングするなどして、トラッキングエラー信号或いはその元となるウォブル信号及びこれに加えてプリピット信号等のガイド情報を、安定して連続的に発生させることが可能となる。即ち、例えば記録用同期クロックに基づく光ディスクのスピンドルサーボ制御、スレッドサーボ制御等の制御動作や記録用のレーザ光に係る変調周期の制御動作、更に、所定の帯域での安定したトラッキング動作等のガイド動作が実行可能となる。或いは、ガイド情報に、制御用の情報（例えば、サーボマークやアドレス情報など）を含めた場合に、これを第１光ビームに起因する反射光等に基づく情報として、確実に読み取ることが可能となる。即ち、安定的にプリフォーマット情報を取得可能となる。
【００３９】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラックなど多数のトラック）に渡って同時に照射されるという技術的性質を有する。このため、相対的に大きな光スポットを形成する第１光ビームを用いて、狭ピッチの記録層に対応したタイミング情報の発生や、トラッキング動作等のガイド動作を行う必要があるからである。
【００４０】
なお、第１光ビームが、第２光ビームに比べてビーム径が小さい場合においても、或いは、これらの径が殆ど又は全く同じ場合においても、トラックのピッチに対して光ビームの径が大きい場合に適切にガイド動作を行おうとする限りにおいて、やはり、上述の如き本実施形態における独自の構成は、相応の作用効果を齎すものである。
【００４１】
このように、ガイド用のトラックについては、例えば既存フォーマットに準拠した記録用同期クロックの発生を可能ならしめること、所定の帯域でトラッキングサーボを可能ならしめること或いはプリフォーマット情報を読み取らせることなどのガイド機能を損なわないようにしつつ、そのピッチを（例えば、記録層における記録により構築されると共に第２光ビームのビーム径に相応しい情報トラックが有することになる、狭ピッチと同程度にまで）狭ピッチにする（即ち、第１光ビームに対して不相応なまでに狭ピッチにする）ことが可能となる。
【００４２】
加えて特に、ＣＬＶ方式を採用しているので、内周側になる程、角速度が増大するが故に（言い換えれば、外周側になる程、角速度が減少するが故に）、例えばガイド層のトラックに予め記録されたガイド情報の配置関係が、半径位置に応じて任意となる。例えばＣＡＶ（Constant Angular Velocity）方式であれば可能なように、特定長の情報を複数のトラックに渡って径方向に一列に整列させるといった配置をとることは、根本的に不可能である。すると、ＣＬＶ方式にて仮に何らの対策も施さないとすれば、第１光ビームが複数トラックに渡る光スポットを形成する場合に、その光スポット内部に入るトラック部分が半径位置に応じて任意となり（即ち、いずれにせよ特定長の情報であっても径方向位置に応じてトラック方向にずれ）、ガイド情報の取得が半径位置に応じて、極めて不安定とならざるを得ない。
【００４３】
しかしながら、ガイド領域は、上述の如く意識的に或いは積極的に、径方向に複数のトラック間でずらされて配置されている。このため、径方向位置によらずに（即ち内周寄りや外周寄りを問わずに）、高密度記録を実現するための高密度のトラックピッチや記録線密度に対応して、所定の帯域の記録用同期クロックの発生や、所定の帯域でのトラッキングサーボ等のガイド動作を安定して実行可能となる。逆に言えば、ＣＬＶ方式であることを前提として、径位置に応じて、予め所定距離やずらし方を規定しておけば、ＣＬＶ方式であっても何ら問題は生じない。
【００４４】
しかも本実施形態によれば、複数のガイド領域は、複数のスロットのうち、トラック方向に相隣接しておらず且つ径方向に複数のトラックに渡って相隣接していない一部の複数のスロット内に、配置されている。典型的には、このような一部の複数のスロット内に一つずつ配置されている。
【００４５】
ここに、「スロット」とは、トラックがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。但し、スロットは、トラック方向及び径方向の少なくとも一方については、若干の隙間をあけて配列されてもよい。言い換えれば、ガイド層にて、予めトラック方向に並べられるように作り込まれた複数のスロットにおける、配列、或いは連なりから、トラックが構築される。
【００４６】
ガイド領域は、トラック方向に相隣接しておらず且つ径方向に複数のトラックに渡って相隣接していない一部の複数のスロット内に（好ましくは一つずつ）配置されているので、複数のガイド領域から検出可能なガイド情報間におけるクロストークを確実に低減或いは無くすことが可能となる。加えて、ガイド層においては、グルーブ、ランド、プリピット等を、ガイド領域が配置されるスロット内にだけ作り込めばよく、これらをトラック全域に連続して作り込む必要は無い。しかも、スロットの存否（例えば、スロットと鏡面との相違）が物理的に明確に区別し易く、よって検出しやすいため、ガイド情報の読み取りが容易にして安定的に実行可能となる。これは、実践上大変有利である。
【００４７】
他方で、記録層における複数のスロットについては、ガイド層の場合と異なり、トラック方向及び径方向の両方についての連続する全てのスロット内に、コンテンツデータ、ユーザデータなどを記録するための個々の記録領域が配置されてよい。記録層におけるいずれのスロットについても、ガイド層におけるガイド領域が配置されたスロットと対応がとれるので、記録層に対して間接的に、所定の帯域の記録用同期クロックの発生や、所定の帯域におけるトラッキングサーボを実行可能となる。言い換えれば、記録層については、第２光ビームにより形成される光スポットによって、読み取り可能な限界までの高密度にて、全てのスロット内に情報を記録可能となる。
【００４８】
以上の結果、ＣＬＶ方式を採用しつつ、記録層において記録若しくは再生できるトラックピッチや記録線密度（例えば、線記録密度、ピットピッチ或いは情報転送速度（即ち、記録線密度×移動速度））を、多層型の情報記録媒体における本来の目的である「高密度記録」と言える程度にまで高めることが可能となる。
【００４９】
本実施形態の情報記録媒体の一の態様では、前記複数のガイド領域は、前記トラック方向に(i)鏡面又はストレートグルーブ若しくはストレートランド構造を有する緩衝領域並びに(ii)鏡面又はストレートグルーブ若しくはストレートランド構造を有する鏡面領域のうち少なくとも一方を、間に挟んで配置されている。
【００５０】
この態様によれば、ガイド層では、トラックに沿って、緩衝領域、ガイド領域、及び鏡面領域が、適宜に順番に並べられる構造が予め構築される。ここに「鏡面」とは、特に情報が埋め込まれてないプレーンな素面を意味し、ガイド層にて光反射率が最も高い面となる。「ストレートグルーブ若しくはストレートランド構造」とは、ウォブルやピットなどが形成されていない単なる真っ直ぐな溝（グルーブ）又は溝と溝との間にある土手（ランド）を意味する。なお、グルーブとランドとは、相対的な凹凸であり、第１及び第２光ビームが照射される方向から見て、どちらが凹でありどちらが凸であっても構わない。例えば、情報記録媒体を構成する本体基板を基準に凹となるのがグルーブであり、凸となるのがランドである。この場合、第１及び第２光ビームが照射される方向から見て、グルーブが凸となり且つランドが凹となったりする。
【００５１】
本実施形態の情報記録媒体の他の態様では、前記物理構造は、ウォブル及びプリピット構造を含む。
【００５２】
この態様によれば、複数のガイド領域は、ガイド用のガイド情報を担持する、ウォブル及びプリピット構造を含む物理構造を夫々有する。ここに「ウォブル及びプリピット構造」とは、ウォブル或いはウォブリングされたグルーブ又はランドトラックが形成されていると共に、そのグルーブ内又はランド内にプリピットが形成されている構造を意味する。更に「プリピット」とは、グルーブ内若しくは上、又はランド上若しくは内におけるトラック上に、グルーブ幅又はランド幅よりも狭くなるように形成された凸状又は凹状のピット或いは位相ピットを意味する。言い換えれば、プリピットは、ランドプリピットでも、グルーブプリピットであってもよい。
【００５３】
本実施形態の情報記録媒体の他の態様では、前記物理構造は、ウォブル及び一部切欠き構造を含む。
【００５４】
この態様によれば、複数のガイド領域は、ガイド用のガイド情報を担持する、ウォブル及び一部切欠き構造を含む物理構造を夫々有する。ここに「ウォブル及び一部切欠き構造」とは、ウォブル或いはウォブリングされたグルーブ又はランドトラックが形成されていると共に、そのグルーブ内又はランド内にグルーブ幅又はランド幅と同等の切欠きが施されている構造を意味する。相隣接するグルーブ間に存在するランドの一部が切欠きされている場合、相隣接するランド間に存在するグルーブの一部が切欠きされている場合、及びそれらを組み合わせた場合が考えられる。言い換えれば、物理構造は、一部切欠きという広義のプリピットを含んで構成されてもよく、更に、この広義のプリピットは、広義のランドプリピットでも、広義のグルーブプリピットであってもよい。更に、そのような構造に加えて、前述した狭義のプリピット（即ち、一部切欠き構造を伴わないプリピット）を併せて形成することも可能である。
【００５５】
このように、トラックは、ピットが形成され又はこれに代えて若しくは加えてウォブリングされたグルーブトラック又はランドトラックとして、ガイド層に予め構築される。或いは、トラックは、ランド又はグルーブの一部が切欠きされ又はこれに代えて若しくは加えてウォブリングされたグルーブトラック又はランドトラックとして、ガイド層に予め構築される。よって、その構築は、比較的容易であり、最終的には、信頼性及び安定性の高いガイド動作が可能とされる。
【００５６】
このようなガイド領域に構築されるランド又はグルーブの凹凸若しくはピット等であって、タイミング情報の発生やトラッキング動作等に寄与するマークを、適宜単に「マーク」と称する。
＜２＞
本実施形態の情報記録媒体の他の態様では、前記トラックは、少なくとも一部において、グルーブ構造を有するグルーブトラックとランド構造を有するランドトラックとが、交互に形成されてなり、前記物理構造は、前記トラック方向に所定範囲の長さを有する１つ以上のマーク群を有する。
【００５７】
この態様によれば、グルーブトラックとランドトラックとが、典型的には、１週おきに形成されている。ガイド領域の有する物理構造は、トラック方向に所定範囲の長さを有する１つ以上のマーク群（即ち、１つ若しくは複数のマークから構成される、１つ又は複数の群）を有し、好ましくは、そのようなマーク群のみを含むマーク構造を有する（即ち、マーク以外の部分は、鏡面とされているのが好ましい）。従って、形成するマークの限定により、連続したグルーブ或いは連続したランドを形成することが可能となる。クロック信号やトラッキングエラー信号の連続検出により、トラッキングサーボ等が可能となる。ランド／グルーブ方式トラッキング（即ち、ランドトラック及びグルーブトラックの両方のトラックをトラッキングに用いる方式）と高密度のマーク配置とを両立できる。
＜３＞
このグルーブトラックとランドトラックとが交互に形成されている態様では、前記複数のガイド領域は、前記トラック方向に所定長さの緩衝領域を含み、該緩衝領域は、少なくとも一部において、前記グルーブトラックがストレートグルーブ構造を有すると共に前記ランドトラックがストレートランド構造を有してなってもよい。
【００５８】
このように構成すれば、グルーブ上でのトラッキングサーボは、グルーブ上に配置されたマークとは無関係に、連続したグルーブトラッキングが可能となる。他方、ランド上でのトラッキングサーボは、ランド上に配置されたマークとは無関係に、連続したランドトラッキングが可能となる。
＜４＞
上述のグルーブトラックとランドトラックとが交互に形成されている態様では、前記複数のガイド領域は、前記グルーブトラックとランドトラックとを相互に切り替えるためのランド／グルーブ切替領域を含み、該ランド／グルーブ切替領域は、少なくとも一部において、前記トラックに沿って前記スロットの整数倍の長さを有してもよい。
【００５９】
このように構成すれば、クロストークの影響が低減された形で、該ランド／グルーブを切り替るためのタイミング情報を、ランド／グルーブ切替領域から良好に取得可能となる。ここに「切り替え」は、グルーブトラックとランドトラックとがトラック方向（即ち周方向）に沿って連続しての（即ち、同一円周上にあるトラック部分間での）切り替えでもよい。或いは、トラック方向に対して若干の段差をもっての（即ち、同一円周上にないトラック部分間での）、即ち、トラック方向に対して局所的に若干斜めに交わるような切り替えでもよい。また、少なくとも１週に一回は、グルーブトラックからランドトラックへの切り替え点及びランドトラックからグルーブトラックへの切り替え点のうち少なくとも一方が設けられているのが好ましい。
【００６０】
更に、例えば、記録情報に対応付けられる、プリアドレス情報、所望のタイミング情報などの所望の情報を、記録時或いは再生時に、ランド／グルーブ切替領域を含むガイド領域から取得可能となる。
＜５＞
この態様では更に、前記ランド／グルーブ切替領域は、前記スロットの整数倍を単位として、前記径方向に揃うように配置されてもよい。
【００６１】
このように構成すれば、トラッキングオープン状態でも、ランド／グルーブ切替領域は検出可能となり、トラッキングサーボの引込みに対して有利な対応が可能となる。このように径方向に揃えるためには、例えば、ランド／グルーブ切替領域に隣接するエリアにマークを配置しない構成を採ればよい。ここに「径方向に揃う」とは、完全に揃っている場合のほか、このような効果が認められる程度に概略揃っていれば足りる意味である。言い換えれば、実質的に揃っていれば足りる意味である。
＜６＞
本実施形態の情報記録媒体の他の態様では、前記複数のスロットは、前記トラック方向の長さが相互に等しく、前記トラック方向に隙間無く配列されている。
【００６２】
この態様によれば、ガイド層及び記録層でスロットを配列することや、特にガイド層におけるいずれのスロット内にガイド領域を配置してよく、いずれのスロット内にガイド領域を配置していけないかを或いはそのような配置規則を、比較的容易にして決められる。
＜７＞
本実施形態の情報記録媒体の他の態様では、前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持してもよい。
【００６３】
このように構成すれば、ガイド層におけるスロットのトラック方向の長さと、各記録層における、記録されることになるデータ（例えば、ユーザデータ、コンテンツデータなど）のフォーマットの構成単位のトラック方向の長さとが、所定の整数比となる。ここに「フォーマットの構成単位」とは、例えば、ＥＣＣ（Error Correction Code）ブロック、ＡＤＩＰ（Address In Pre-groove）単位等のエラー訂正の単位など、データフォーマットに準拠しての構成単位を意味し、典型的には、情報記録時又は情報再生時に、所定種類の処理を行う際に扱われる単位となる。
【００６４】
このため、タイミング情報、トラッキングエラー信号等のガイド情報の発生頻度と、トラックに対応する記録面内位置における記録層に情報を記録する周期とを、半径位置に寄らずに或いはトラック位置に寄らずに、一定の関係に維持することが出来る。特にＣＬＶ方式なので、径位置によって、角速度が変化するにも拘らず、任意の径位置にて、安定したガイド動作が実行可能となる。しかも、そのためには、予め作り込む際に、スロットのトラック方向の長さを、データのフォーマットの構成単位の長さに応じて規定すればよい。
【００６５】
このように、スロットを採用することで、記録層に対するタイミングの生成、トラッキング動作などのガイド動作を、比較的容易にして、極めて安定的に実行可能となる。
【００６６】
なお、前記物理構造は（上述の「スロット」という構成を採用することなく）、前記ガイド情報の前記トラック方向の長さと、前記複数の記録層に夫々記録されるデータの最小構成単位の前記トラック方向の長さとが、所定の整数比となるように、前記ガイド情報を担持するように構成してもよい。このように構成すれば、ガイド層におけるガイド情報のトラック方向の長さと、各記録層における、記録される又は記録されることになるデータ（例えば、ユーザデータ、コンテンツデータなど）の最小構成単位のトラック方向の長さとが、所定の整数比となる。このため、タイミング情報、トラッキングエラー信号等のガイド情報の発生頻度と、トラックに対応する記録面内位置における記録層に情報を記録する周期とを、半径位置に寄らずに或いはトラック位置に寄らずに、一定の関係に維持することが出来る。特にＣＬＶ方式なので、径位置によって、角速度が変化するにも拘らず、任意の径位置にて、安定したガイド動作が実行可能となる。
＜８＞
本実施形態の情報記録媒体の他の態様では、前記ガイド領域が配置される複数のスロットは、(i)少なくとも前記記録層に対する情報記録時に前記トラックに対して照射され且つ集光される光ビームにより、前記トラック上に形成される光スポットの径と、(ii)前記トラックの前記径方向のピッチと、(iii)前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、(iv)前記スロットの前記トラック方向の長さとに基づいて、前記光スポット内に同時に含まれない複数のスロットとして選定されている。
【００６７】
この態様によれば、光スポット内に同時に含まれない複数のスロットを、光スポットの径、トラックのピッチと、上記変位量と、スロットのトラック方向の長さとから、算術により決定できる。ここに「含まれない」とは、狭義には、ガイド層の主面、即ち記録層の記録面上で平面的に見て、端や隅などの一部についても二つのスロットが光スポット内に同時に含まれない意味である。広義には、ガイド情報をクロストークなしで検出可能である限度において若干の部分について二つのスロットが光スポット内に同時に含まれてもよい意味である。このように選定されたスロット内にのみガイド領域を配置すれば、比較的容易にして確実にガイド情報間でのクロストークの発生を回避し得る、スロットの配置を有するガイド領域を実現できる。
＜９＞
本実施形態の情報記録媒体の他の態様では、前記物理構造は、前記ガイド用のガイド情報の他の種類として、前記トラック方向に沿って内周から外周又は外周から内周へ向うアドレス位置を示すアドレス情報を担持する。
【００６８】
この態様によれば、単一又は複数のガイド層におけるガイド領域が有する物理構造は、ガイド情報の他の種類として、トラック方向に沿って内周から外周又は外周から内周へ向うアドレス位置を示すアドレス情報を担持する。このため、ガイド層により、例えばタイミングの生成やトラッキングエラー信号の発生によるトラッキングといったガイド機能のみならず、これに代えて又は加えて、アドレス情報の提供によるガイド機能が発揮される。ガイド層に予め形成されたトラックからアドレス情報まで取得できれば、トラックによりガイドされつつ記録層に情報を記録する作業が容易にでき、記録作業の信頼性及び安定性を高められる。
【００６９】
本実施形態の情報記録媒体の他の態様では、前記トラックは、記録用同期クロック発生用のガイドトラックであり、前記物理構造は、前記ガイド情報の少なくとも一部を構成する前記記録用同期クロックを、発生可能であり、前記複数のガイド領域は夫々、前記記録用同期クロックを発生するためのクロック発生用領域であり、前記所定距離は、前記記録用同期クロックが所定の帯域で発生可能な距離に予め設定されており、前記複数のクロック発生用領域は、前記ガイド層に照射される光ビームの径に基づいて、前記光ビームが同時に照射されないように前記複数のトラック間でずらされて、配置されている。
【００７０】
この態様によれば、第１光ビームのスポットが相隣接する二つの或いは二つ以上のトラック部分に跨るまでトラック密度を高めても、これに対応してクロック発生用領域が上述の如くずらされている限りにおいて、トラック方向及び径方向の双方について記録用同期クロックが重なること（或いは他のクロック発生用領域からの記録用同期クロックの成分がクロストークのノイズとして影響を及ぼすこと）に起因して、記録用同期クロックが検出不能となってしまう事態が回避可能となる。
【００７１】
本実施形態の情報記録媒体の他の態様では、前記トラックは、トラッキングサーボ用のガイドトラックであり、前記物理構造は、前記ガイド情報の少なくとも一部を構成する前記トラッキングサーボ用の信号を、発生可能であり、前記複数のガイド領域は夫々、前記トラッキングサーボ用の信号を発生するためのサーボ用領域であり、前記所定距離は、前記トラッキングサーボが所定の帯域で動作可能な距離に予め設定されており、前記複数のサーボ用領域は、前記トラッキングサーボ用の光ビームの径に基づいて、前記光ビームが同時に照射されないように前記複数のトラック間でずらされて、配置されている。
【００７２】
この態様によれば、第１光ビームのスポットが相隣接する二つの或いは二つ以上のトラック部分に跨るまでトラック密度を高めても、これに対応してサーボ用領域が上述の如くずらされている限りにおいて、トラック方向及び径方向の双方についてトラッキングエラー信号（或いはその元となるウォブル信号）が重なること（或いは他のサーボ用領域からのトラッキングエラー信号の成分がクロストークのノイズとして影響を及ぼすこと）に起因して、トラッキングエラー信号が検出不能となってしまう事態が回避可能となる。即ち、このようにトラック密度を高めても、トラッキングが可能となり、ガイド層としての、トラッキング信号を発生する本来の機能は保証される。
（情報記録装置）
＜１０＞
本実施形態の情報記録装置は上記課題を解決するために、上述した実施形態の情報記録媒体（但し、その各種態様を含む）に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記担持されたタイミング情報を取得する情報取得手段と、前記取得されたタイミング情報により規定されるタイミングで、前記一の記録層に前記第２光ビームを照射し且つ集光することで、前記データを記録するように前記光照射手段を制御するデータ記録制御手段とを備える。
【００７３】
本実施形態の情報記録装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００７４】
すると、第１光ビームに基づく、ガイド層からの反射光、散乱光、屈折光、透過光等である第１光が、受光手段により、受光される。ここに受光手段は例えば、光照射手段と一体形成され対物レンズ等の光学系を少なくとも部分的に共有する、二分割或いは四分割のＣＣＤ（Charged Coupled Device）等のフォトディテクタ或いは受光素子を含んで構成される。受光手段は例えば、プリズムやダイクロイックミラー、ダイクロイックプリズム等を経由して、第１光を、第２光並びに第１及び第２光ビームと途中から異なる光路にて、受光するように構成される。
【００７５】
続いて、この受光された第１光に基づき、ガイド領域の物理構造により担持されたタイミング情報が、例えばプロセッサ、演算回路、論理回路等を含んでなる、情報取得手段により取得される。この際特に、所定の帯域のタイミング情報を発生させるためには、トラックに沿った全てのスロット内にガイド情報を発生可能なガイド領域が配置されている必要は無い。即ち、ガイド領域を含むスロットは、所定の帯域に応じて、トラック方向及び半径方向の双方について離散的に、配置されれば足りる。
【００７６】
続いて、この取得されたタイミング情報により規定されるタイミングで、例えばプロセッサ等のデータ記録制御手段による制御下で、記録すべき情報に対応して変調される第２光ビームが、光照射手段により、照射され且つ集光される。第２光ビームは、情報記録の高密度記録を狙って、前述したように例えば青色レーザ光ビームの如くスポット径が相対的に小さい光ビームであってよい。記録情報の高密度化を図るという観点からは、第２光ビームは、より細い光束であることが望ましい。
【００７７】
なお、このようなタイミング情報の取得に並行して或いは相前後して、情報取得手段により取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御されてもよい。例えば、光照射手段における、トラッキング制御用のアクチュエータが、フィードバック制御或いはフィードフォーワード制御により制御され、第１光ビームにより形成される光ビームが、トラック上に追従される。このように所定の帯域でトラッキングサーボがかけられている或いはトラッキングサーボが閉じられた状態で、上述の如く、タイミング情報により規定されるタイミングで、第２光ビームが、光照射手段により、照射され且つ集光されてよい。
【００７８】
すると、所望の記録層において、ガイド層におけるトラックに対応する情報トラックとなる領域に、データが順次記録されることになる。この際、記録層へのデータの記録を、例えばスロットの整数倍など、スロットに対応する単位で行うようにすれば、記録動作が簡単且つ安定したものとなる。
【００７９】
このように、上述した実施形態の情報記録媒体における記録層に対し好適に、例えばコンテンツ情報、ユーザ情報等の記録すべき情報を、高密度にて記録可能となる。
（情報記録方法）
＜１１＞
本実施形態の情報記録方法は上記課題を解決するために、上述した実施形態の情報記録媒体（但し、その各種態様を含む）に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記担持されたタイミング情報を取得する情報取得工程と、前記取得されたタイミング情報により規定されるタイミングで、前記一の記録層に前記第２光ビームを照射し且つ集光することで、前記データを記録するように前記光照射手段を制御するデータ記録制御工程とを備える。
【００８０】
本実施形態の情報記録方法によれば、上述した実施形態の情報記録装置の場合と同様に作用し、最終的には、上述した実施形態の情報記録媒体における記録層に対し好適に、例えばコンテンツ情報、ユーザ情報等の記録すべき情報を、高密度にて記録可能となる。
（情報再生装置）
＜１２＞
本実施形態の情報再生装置は上記課題を解決するために、上述した実施形態の情報記録媒体（但し、その各種態様を含む）から、データを再生する情報再生装置であって、前記ガイド層にトラッキング用の第１光ビームを照射し且つ集光することが可能であると共に前記複数の記録層のうち一の記録層にデータ再生用の第２光ビームを照射し且つ集光することが可能である光照射手段と、前記ガイド層からの前記照射され且つ集光された第１光ビームに基づく第１光を受光し、該受光された第１光に基づき前記担持されたタイミング情報を取得する情報取得手段と、前記取得されたタイミング情報により規定されるタイミングで、前記一の記録層からの前記照射され且つ集光された第２光ビームに基づく第２光を受光し、該受光された第２光に基づき前記データを取得するデータ取得手段とを備える。
【００８１】
本実施形態の情報再生装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００８２】
すると、第１光ビームに基づく、ガイド層からの反射光、散乱光、屈折光、透過光等である第１光が、受光手段により、受光される。
【００８３】
続いて、この受光された第１光に基づき、ガイド領域の物理構造により担持されたタイミング情報が、例えばプロセッサ、演算回路、論理回路等を含んでなる、情報取得手段により取得される。
【００８４】
続いて、この取得されたタイミング情報により規定されるタイミングで、例えばプロセッサ等のデータ取得手段による制御下で、第２光ビームが、光照射手段により、所望の記録層に照射され且つ集光される。第２光ビームは、情報記録の高密度再生を狙って、前述したように例えば青色レーザ光ビームの如くスポット径が相対的に小さい光ビームであってよい。
【００８５】
なお、このようなタイミング情報の取得に並行して或いは相前後して、情報取得手段により取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御されてもよい。
【００８６】
すると、所望の記録層において、記録済情報が再生されることになる。この際、記録時における記録層へのデータの記録を、例えばスロットの整数倍など、スロットに対応する単位で行うようにしておけば、再生動作が簡単且つ安定したものとなる。
【００８７】
このように、上述した実施形態の情報記録媒体における記録層に対から好適に、例えばコンテンツ情報、ユーザ情報等の記録済情報を、高密度にて再生可能となる。
【００８８】
なお、ガイド層によるトラッキングを利用することなく、即ち第１光ビームを利用することなく、専ら第２光ビームにより、記録済の記録情報の配列或いは連なりからなる情報トラックに対してトラッキングを行いつつ、該情報トラックから情報を再生することも可能である。即ち、情報再生時には、第２光ビームのみを利用し、情報記録時には第１及び第２光ビームの両方を利用するという、記録及び再生の別に応じて、光ビームを使い分けるように情報再生装置を構築することも可能である。情報再生時には、第２光ビームのみが使用されるので、相対的に（即ち、再生時にも第１光ビームを使用する場合に比較して）低消費電力且つ単純な制御にて、再生を実行可能となる。特に、情報再生装置を、情報記録時と情報再生時とで光ビームの使い分けをする、記録機能をも備えた「情報記録再生装置」として実現すれば、実践上非常に有利となる。
（情報再生方法）
＜１３＞
本実施形態の情報再生方法は上記課題を解決するために、上述した実施形態の情報記録媒体（但し、その各種態様を含む）から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記担持されたタイミング情報を取得する情報取得工程と、前記取得されたタイミング情報により規定されるタイミングで、前記一の記録層からの前記照射され且つ集光された第２光ビームに基づく第２光を受光し、該受光された第２光に基づき前記データを取得するデータ取得工程とを備える。
【００８９】
本実施形態の情報再生方法によれば、上述した実施形態の情報再生装置の場合と同様に作用し、最終的には、上述した実施形態の情報記録媒体における記録層から好適に、例えばコンテンツ情報、ユーザ情報等の記録済情報を、高密度にて再生可能となる。
【００９０】
本実施形態のこのような作用及び他の利得は次に説明する実施例から明らかにされる。
【００９１】
以上説明したように、本実施形態に係る情報記録媒体によれば、ガイド層と複数の記録層とを備え、トラックには複数のガイド領域が配置されているので、ＣＬＶ方式を採用しつつ、記録層において記録若しくは再生できるトラックピッチや記録線密度を高めることが可能となる。
【００９２】
本実施形態に係る情報記録装置によれば、光照射手段と情報取得手段とデータ記録制御手段とを備え、本実施形態に係る情報記録方法によれば、情報取得工程とデータ記録制御工程とを備えるので、上述した実施形態の情報記録媒体における記録層に対し好適に、例えばコンテンツ情報、ユーザ情報等の記録すべき情報を、高密度にて記録可能となる。
【００９３】
本実施形態に係る情報再生装置によれば、光照射手段と情報取得手段とデータ取得手段とを備え、本実施形態に係る情報再生方法によれば、情報取得工程とデータ取得工程とを備えるので、上述した実施形態の情報記録媒体における記録層から好適に記録済情報を高密度にて再生可能となる。
【実施例】
【００９４】
以下、図面を参照しながら、本発明の各種実施例について説明する。尚、以下では、本発明に係る情報記録媒体を、多層記録型の光ディスクに適用した例について説明する。
＜情報記録媒体の実施例＞
初めに、図１から図２３を参照して、本発明に係る情報記録媒体の一例である多層記録型の光ディスクの実施例について説明する。【００９５】
先ず、図１及び図２を参照して、本実施例に係る光ディスク１１の基本構成（主に物理的な構造）及び基本原理について説明する。【００９６】
図１において、光ディスク１１は、多層記録型であり、単一のガイド層１２と複数の記録層１３とを備える。ここに図１は、図中左半面に図示された一枚の光ディスク１１を構成する複数の層を、図中右半面にて、その積層方向（図１中、上下方向）について相互に間隔をあけて分解することで、各層を見易くしてなる模式的な斜視図である。【００９７】
光ディスク１１に対しては、その記録時に、記録用同期クロックの発生用であり且つトラッキングサーボ用であると共に本発明に係る「第１光ビーム」の一例たる第１ビームＬＢ１と、情報記録用であると共に本発明に係る「第２光ビーム」の一例たる第２ビームＬＢ２とが同時に照射される。その再生時に、第１ビームＬＢ１と、情報再生用である第２ビームＬＢ２とが同時に照射される。なお、情報再生時には、第２ビームＬＢ２を、トラッキングサーボ用であり且つ情報再生用である、単一の光ビームとして利用すること（即ち、第１ビームＬＢ１を使用しないこと）も、可能である。【００９８】
光ディスク１１はＣＬＶ方式であり、同心円状又は螺旋状のトラックＴＲに予め記録されており、情報記録時又は再生時に検出される、記録用同期クロック、トラッキングエラー信号（或いはその元となるウォブル信号）、アドレス情報（或いはその元となるプリピット信号）等は、ＣＬＶ方式に準拠してトラックに沿って配列されている。図１中、右半面に示されているように、第１ビームＬＢ１は、ガイド層１２に集光され、トラックＴＲ（即ち、ガイドトラック）を追従するように、トラッキング制御される。【００９９】
図２に示すように、第２ビームＬＢ２は、ガイド層１２上に積層された複数の記録層１３のうち記録対象又は再生対象たる、所望の一つの記録層１３に集光される。第２ビームＬＢ２は、例えばＢＲ（ブルーレイ）ディスクと同じく比較的小径の青色レーザビームである。これに対して、第１ビームＬＢ１は、例えばＤＶＤと同じく比較的大径の赤色レーザビームである。第１ビームＬＢ１により形成される光スポットの径は、第２ビームＬＢ２により形成される光スポットの径と比べて、例えば数倍程度となる。【０１００】
複数の記録層は、例えば１６層など、各々に独立して情報を光学的に記録可能、更に再生可能となるように構成される。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。【０１０１】
２光子吸収材料を利用した光ディスク構造としては、(i)光ディスク１１の全体が２光子吸収材料からなるバルク型と(ii)２光子吸収材料の記録層及び別の透明材料のスペーサ層を交互に積層した層構造型とがある。層構造型は、記録層１３及びスペーサ層間の界面で反射される光を利用してフォーカスサーボ制御が可能となる利点がある。バルク型は、多層成膜工程が少なく、製造コストを抑えられる利点がある。【０１０２】
記録層１３の材料としては、第２ビームＬＢ２の波長及び強度の少なくとも一方に応じて感応し、屈折率、透過率、吸収率、反射率などの光学特性が変化することで、記録可能であると共に、安定な材料であればよい。例えば、光重合反応を生じるフォトポリマー、光異方性材料、フォトリフラクティブ材料、ホールバーニング材料、光を吸収して吸収スペクトルが変化するフォトクロミック材料など、透光性或いは半透明の光感応材料が、考えられる。例えば、記録層１３としては、波長λ２の第２ビームＬＢ２に感応するともに波長λ１（λ２＜λ１）の第１ビームＬＢ１に感応しない相変化材料、２光子吸収材料などが用いられる。【０１０３】
複数の記録層１３は夫々、上述の２光子吸収材料、相変化材料以外にも、例えば色素材料等であってもよい。複数の記録層１３は夫々、未記録状態では、トラックＴＲは予め形成されておらず、例えば全域が鏡面或いは凹凸のない平面とである。【０１０４】
以下に説明する実施例では、説明の便宜上、グルーブトラックＧＴ及びランドトラックＬＴは、ストレート構造を有するが（図１６及び図１７等の図示参照）、これらのトラックには、ウォブリングが施されていてよい。例えば、グルーブトラックＧＴ又はランドトラックＬＴは夫々、例えば光反射性の材料からなる薄膜である反射膜が、凹凸溝が形成された基材としての透明膜上に成膜され、更に保護膜としての透明又は不透明な膜で埋められることで形成されてよい。このようなグルーブやランドの側壁に、ウォブリングが施されていてよい。更に、ガイド層１２（図１参照）に設けられるグルーブトラックには、例えば、一部切欠き構造からなるグルーブノッチが作り込まれてもよい。切欠きとは、グルーブトラックの一つのトラック幅に渡って切り欠かれてなる鏡面である。ランドパートには、ランドプリピットが作り込まれてもよい。加えて、プリピットが何ら形成されていないランドパートについても、適宜に、プリピットが形成されてもよい。【０１０５】
なお、ガイド層１２のトラックＴＲに沿った記録層１３上における記録済データの配列（以下適宜、単に「記録済情報トラック」）は、物理的には、記録時に第２ビームＬＢ２の照射により記録層１３の記録面に形成された、蛍光強度が変化した部分、屈折率が変化した部分、相変化部分、色素変化部分などの、ガイド層１２のトラックＴＲに沿った一連のつらなりと言える。【０１０６】
このような複数の記録層１３がガイド層１２上に積層された光ディスク１１に対し、少なくとも情報記録時には、光ピックアップが有する共通の対物レンズ１０２Ｌを介して、これらの径及び焦点深度が相異なる第１ビームＬＢ１及び第２ビームＬＢ２が、ほぼ又は実践上完全に同軸的に照射される。【０１０７】
図１及び図２において、第２ビームＬＢ２についての、記録用同期クロックに基づくタイミングの生成及びトラッキング動作は、（特に記録時には記録層１３上に何らのトラックも存在しないので）第１ビームＬＢ１によるガイド層１２のトラックＴＲに対する、タイミング生成及びトラッキング動作により、間接的になされる。即ち、第１ビームＬＢ１と第２ビームＬＢ２とは、対物レンズ１０２Ｌ等の共通の光学系（言い換えれば、照射される光ビーム間の位置関係が固定された光学系）を介して、照射される。このため、第１ビームＬＢ１の光ディスク１１の面内におけるタイミング生成や位置決めが、そのまま第２ビームＬＢ２の光ディスク１２の面内（即ち、各記録層１３の記録面内）におけるタイミング生成や位置決めとして、利用できる訳である。【０１０８】
ガイド層１２のトラックＴＲには、記録用同期クロック、トラッキングエラー信号（或いはその元となるウォブル信号などのトラッキングエラーを発生させるための信号）及びプリピット信号を担持する物理構造を夫々有する、複数のサーボ用領域が、配置されている。ここに、記録用同期クロックは、本発明に係る「ガイド用のガイド情報の一種類であるタイミング情報」の一例を構成し、トラッキングエラー信号及びプリピット信号は、本発明に係る「ガイド用のガイド情報」の一例を構成する。更に、後述のアドレスが、本発明に係る「ガイド用のガイド情報の他の種類であるアドレス情報」の一例を構成する。複数のマーク領域２２Ｇ，２２Ｌは、本発明に係る「複数のガイド領域」の一例を構成している。【０１０９】
このようにガイド層１２のトラックＴＲが、記録用同期クロック（或いは、その元になる信号）、トラッキングエラー信号（或いはその元となるウォブル信号）を担持する物理構造をトラックＴＲに構築する際における、注意点について検討を加える。【０１１０】
光スポットＳＰ１が、トラックピッチに対して相対的に大きい、高密度記録用のトラッキングを行う場合、光スポットＳＰ１は（例えば、トラックピッチ０．２５μｍに対し）直径１μｍ程度であり、自らが集光され追従しているトラックＴＲ以外の隣接或いは近隣トラックＴＲ上の信号のノイズとしての影響を顕著に受ける。即ち、全てのトラックＴＲに対し、それらの径方向及びトラック方向に隙間無く、グルーブ構造やウォブル構造等を与えてしまうと、記録用同期クロックやトラッキングエラー信号にクロストークが顕著に発生する。このため、記録用同期クロックの生成やトラッキングを実行不可能となる。【０１１１】
特に、本実施例の如くＣＬＶ方式であると、ＣＡＶ方式の場合と異なり、径方向位置に応じて、隣接する複数のトラックＴＲ上におけるアドレス位置関係（アドレスの差）が変化するので、仮に一の場所で、記録用同期クロックの発生やトラッキング可能でも、他の場所で（即ち、径方向に隣接する他の信号発生領域の接近の度合いが強くなる箇所では）、これらが不可能となる可能性が顕著に出てきてしまう。これは、ランドプリピットやグルーブプリピットについても、同様であり、クロストークによりプリピット信号によるアドレス情報等が検出不可能となる。【０１１２】
そこで本実施例では特に、トラックＴＲには、主に、記録用同期クロックの発生とトラッキングとを可能ならしめるという特定目的を達成するために、複数のマーク領域が以下に説明する如くにトラック方向及び径方向の双方について、離散的に設けられる。【０１１３】
次に図３〜図２３を参照して、トラックＴＲにおける、このようなマーク領域等の配置について詳細に説明する。【０１１４】
図３に示すように、ガイド層１２におけるトラックＴＲのうち、グルーブトラック（Ｇｒｏｏｖｅトラック）２０Ｇ上には、緩衝領域２１Ｇ、マーク領域２２Ｇが配置されており、ランドトラック（Ｌａｎｄトラック）２０Ｌ上には、緩衝領域２１Ｌ、マーク領域２２Ｌが配置されている。【０１１５】
マーク領域２２Ｇ，２２Ｌは、ウォブル構造やプリピット構造のマークが予め作り込まれる領域、即ち、記録用同期クロック、トラッキングエラー信号やプリピット信号を検出可能な領域である。なお図３の上段では、色濃く塗り潰された部分が、他の部分と比べて凹又は凸とされている。【０１１６】
マーク領域２２Ｇ，２２Ｌは、本発明に係る「ガイド領域」の一例であり、トラック方向（図３中、左右方向）に、相互に、予め設定された所定距離又はそれ未満の距離を、配置間隔（即ち配置ピッチ）として離散的に配置されている。より具体的には、４スロット（Slot）を一グループ（１Group）として、マーク領域２２Ｇ，２２Ｌは、1グループに一つずつ配置されている。この１グループ毎に設ける際におけるマーク領域２２Ｇ，２２Ｌの配置間隔（即ち、配置ピッチ）は、本発明に係る「所定距離」の一例である。この配置間隔は、所定の帯域の記録用同期クロックを発生し得ると共に、所定の周波数帯域でトラッキング動作を安定的に実行可能ならしめる頻度にてトラッキング信号を発生し得る、最長の距離よりも若干のマージンを持って短い距離の一例である。【０１１７】
しかも、複数のマーク領域２２Ｇ，２２Ｌは、径方向（即ち図３中、上下方向）に、相隣接する複数のトラックＴＲに渡って、該複数のトラックＴＲ間で積極的に或いは能動的に左右に（即ちトラック方向に沿って）ずらされて配置されている。即ち、複数のマーク領域２２Ｇ，２２Ｌは、同一位相又は同一位相となる径方向に隣接するスロット（図３中、上下に並ぶスロット）内には、配置されていない。【０１１８】
より具体的には、マーク領域２２Ｇ，２２Ｌを含むスロットは、４トラックおきにのみ、径方向に概ね同一位置にくるように配置されている。即ち、径方向に隣接する片側２トラックである合計４トラックについては、他のトラックのマーク領域２２Ｇ，２２Ｌを含むスロットが、径方向に相隣接しないように配置されている。径方向に相隣接するスロットが、トラック方向に（即ち、図３中、左右に）若干ずれているのは、ＣＬＶ方式に基づく周回毎のスロット位置のズレによるものである。トラックピッチは０．３２μｍであり、１．０μｍである光スポットＳＰ１の径に対応している。第１ビームＬＢ１との関係で言えば、マーク領域２２Ｇ，２２Ｌを含むスロット（例えば、最上段のグルーブトラックであれば「Slot１」）のうち、径方向に隣接する５トラック以内に配置されているもの同士は、第１ビームＬＢ１が、同時にかからない程度にトラック方向にずらされている。【０１１９】
緩衝領域２１Ｇ，２１Ｌは、その上半分に模式的に図示した如く鏡面構造を有する領域、又は、その下半分に模式的に図示した如くストレートグルーブ若しくはストレートランド構造を有する領域である。緩衝領域２１は、トラック方向に、複数のマーク領域２２Ｇ，２２Ｌの各々における先頭部の前に夫々隣接配置されている。【０１２０】
図３に示すように、マーク領域２２Ｇ，２２Ｌの先頭部の前の緩衝領域２１Ｇ，２１Ｌは、隣接するマーク領域２２Ｇ，２２Ｌと同一スロット内に配置され、マーク領域２２Ｇ，２２Ｌの最後部の後ろの緩衝領域２１Ｇ，２１Ｌは、この同一スロットに後続するスロット内に配置されている。なお、最後部の後ろの緩衝領域２１Ｇ，２１Ｌは、同一スロット内に配置されてもよいし、或いは、先頭部の前の緩衝領域２１は、同一スロットに先行するスロット内に配置されてもよい。【０１２１】
緩衝領域２１Ｇ，２１Ｌにおける緩衝作用によって、情報記録時等にサーボ系において、マーク領域２２Ｇ，２２Ｌからの信号検出に対する準備期間が与えられる。特に、マーク領域２２Ｇ，２２Ｌが、プリピット構造やウォブル構造を有するグルーブトラック又はランドトラックである場合に、マーク領域２２Ｇ，２２Ｌの先頭側に配置される緩衝領域２１Ｇ，２１Ｌをストレートグルーブ又はストレートランドで構成すれば、情報記録時においてトラッキングオンの状態で、第１ビームＬＢ１をマーク領域２２Ｇ，２２Ｌに突入させられる。即ち、マーク領域２２Ｇ，２２Ｌの先頭側に配置される緩衝領域２１が、トラッキングサーボを安定動作させるために極めて効果的な準備期間を与えてくれる。【０１２２】
なお、グルーブトラック２０Ｇ又はランドトラック２０Ｌにおける、これらマーク領域２２Ｇ，２２Ｌ及び緩衝領域２１Ｇ，２１Ｌ以外の領域に、鏡面領域を設けてもよい。ここに、鏡面領域は、鏡面構造を有する領域である。例えば、鏡面領域は、各トラックＴＲに沿って概ねスロット４つ分だけ、連続して形成されている。言い換えれば、トラックＴＲに沿って、概ね４スロットのうち１スロットの割合で、緩衝領域２１Ｇ，２１Ｌを伴うマーク領域２２Ｇ，２２Ｌが予め作り込まれると共に、概ね４スロットのうち３スロットについてはグルーブ、プリピット等が作り込まれることはなく、鏡面として残されてよい。【０１２３】
このようにスロット単位にて、緩衝領域２１Ｇ，２１Ｌ付のマーク領域２２Ｇ，２２Ｌを構築することによって、記録時等に、トラックＴＲに沿ってマーク領域２２Ｇ，２２Ｌを探し出すのが容易となり、安定して確実に、記録用同期クロック（或いはその元になる信号）及びトラッキングエラー信号を検出可能となり、安定したクロック生成或いはタイミング生成、トラッキング動作が実行可能となる。【０１２４】
以上のように構成されているため、第１ビームＬＢ１のスポットＳＰ１が相隣接する４つ或いは５つのトラックＴＲに跨るまでトラック密度を高めても、これに対応してマーク領域２２Ｇ，２２Ｌが上述の如くずらされているので、クロック信号（即ち、記録用同期クロック若しくは再生用同期クロック又はそれらの元になる信号）やトラッキングエラー信号のクロストークを確実に低減できる。同時に、マーク領域２２Ｇ，２２Ｌに、制御用のサーボマークやアドレス情報などを担持するプリピット或いはランドプリピットＬＰＰ１についても、クロストークを確実に低減できる。【０１２５】
このように、トラックＴＲについては、クロック生成やタイミング生成などを可能ならしめること或いはプリフォーマット情報を読み取らせることなどのガイド機能を損なわないようにしつつ、そのピッチを狭めることが可能となる。【０１２６】
本実施例では特に、スロット単位で、マーク領域２２Ｇ，２２Ｌを作り込んだり作り込まなかったりするので、クロック信号、トラッキングエラー信号等の検出が、容易にして安定的に、実行可能となる。【０１２７】
この際、トラックＴＲ上におけるスロットのトラック方向の長さと、記録層１３に夫々記録されることになるデータのフォーマットにおける、例えばＥＣＣブロック、ＲＵＢ（Recording Unit Block）、ＡＤＩＰ単位の如き、構成単位のトラック方向の長さとが、所定の整数比となるように構成するとよい。このようにすると、クロック信号、トラッキングエラー信号等の発生頻度と、トラックＴＲに対応する記録面内位置における記録層１３にデータを記録する周期とを、半径位置に寄らずに或いはトラック位置に寄らずに、一定の関係に維持することが容易となる。特にＣＬＶ方式であっても、任意の径位置にて、安定したクロック生成やタイミング生成、更にはトラッキングサーボが実行可能となる。【０１２８】
ここで図４〜図７を参照して、グルーブトラック２０Ｇ及びランドトラック２０Ｌを相互に切り替えるためのエリア及び切り替え点について、説明を加える。ここに、図４は、本実施例における、ガイド層１２に設けられたグルーブトラック２０Ｇ、ランドトラック２０Ｌ及びランド／グルーブ切替エリア１２ＳＡを示している。図５は、図４における、ランド／グルーブ切替エリアの一具体例を示す。また、図６は、ランド／グルーブ切替エリアの他の具体例を示す。図７は、本実施例における、ランド／グルーブ切替エリア１２ＳＡ全体の構成方法についての具体例を示す。【０１２９】
図４において、ガイド層１２の平面内において、グルーブトラックＧＴとランドトラックＬＴとは、同心円状或いは螺旋状にて、一周おきに交互に形成されている。ランド／グルーブ切替エリア１２ＳＡは、一周に一回ずつグルーブトラックＧＴ及びランドトラックＬＴを、ランド／グルーブ切替エリア１２ＳＡにて相互に切り替え可能なように、概ね同一位相となる領域（図４中、右側に延びる網線部の領域）に設けられている。【０１３０】
図５において、ランド／グルーブ切替エリア１２ＳＡでは、フレームの整数倍単位での切替が可能となるように、配置規則が規定されている。グルーブトラックとランドトラックとは、同一円周上にて連続するように且つ両者間にランド／グルーブ切替エリア１２ＳＡが存在するように、設けられている。特に、グルーブトラックの終端（即ちランドトラックの発端）に位置するマーク領域１００１では夫々、マークを検出可能なように隣接配置が回避されている。ランドトラックの終端（即ちグルーブトラックの発端）に位置するマーク領域１００２では夫々、マークを検出可能なように隣接配置が回避されている。【０１３１】
マーク領域１００１において、図中左下に示した通りに、スロット単位で予め記録されているマークからＲＦ信号が得られ、パターン検出信号が生成され、ランド／グルーブ検出が行われる。ＲＦ信号が検出される期間においては、グルーブサーボが、ホールドされる。【０１３２】
マーク領域１００２において、図中右下に示した通りに、スロット単位で予め記録されているマークからＲＦ信号が得られ、パターン検出信号が生成され、ランド／グルーブ検出が行われる。ＲＦ信号が検出される期間においては、ランドサーボが、ホールドされる。【０１３３】
図６において、「ランド／グルーブ切替エリア１２ＳＡ」の他の具体例では、ランド／グルーブの切替マークをなす、マーク領域２００１及びこれに隣接するマーク領域２００２は夫々、半径方向に揃うように構成されている。【０１３４】
この場合、離散配置するためのグループ（Ｇｒｏｕｐ）は、トラックの周回毎にずれ、マーク領域２００１及びマーク領域２００２に夫々隣接するエリア（図の三角斜線部分）は、マークを配置できる場合と出来ない場合がある。このため、隣接するエリア（図６中、三角斜線部分）にマークを配置しないエリアを設けることにより、所定の長さ（例えば、１グループの整数倍）に設定する。【０１３５】
図６の具体例で、マーク領域２００１及びマーク領域２００２或いはそれらの長さの和を、１グループ（Ｇｒｏｕｐ）の長さの整数倍となるようにすれば、当該切替領域において、マークを配置しないグループ数が一定となる。このため、アドレスを構成する際や、ランド／グルーブ領域内でタイミングを生成するのに有利となる。しかも、マーク領域２００１及びマーク領域２００２内におけるＳＹＮＣ（同期）パターンが、トラッキングオープン状態でも検出可能なので、トラッキングサーボの引込みに対しても有利な対応が可能である。【０１３６】
図７において、ランド／グルーブ切替エリア１２ＳＡは、ズレ量が、各グループＧＲＮＯ．１、ＧＲＮＯ．２…が夫々有する１グループ長を超えたら、このズレ量を小さい値にリセットすべく、１グループ長だけ遅れる方向にずらされている。より具体的には、Ｎ／フレーム分周で、半径方向位置の変化に伴って（即ち、トラック一周の長さの変化に伴って）、ズレ量が１グループ長を超えたら、（Ｎ＋１）／フレーム分周に切り替えられることで、１グループ長だけ遅れる方向にずらされている。【０１３７】
次に、ガイド層におけるプリフォーマット及びデータのアサインについて図８及び図９を参照して、説明する。ここに、図８は、以上のようなスロットを採用する場合の、ガイド層１２のトラックＴＲにおけるプリフォーマットの一具体例を示す。この例は、３アドレス構成の場合の１ＲＵＢの単位での構成例である。図９は、図８に示した１グループを構成する各スロット内における、データ等のアサインの一具体例である。【０１３８】
図８において、１つのＲＵＢは、ＢＤ−Ｒ（Ｂｌｕｅ ｒａｙ Ｄｉｓｃ−Ｒｅｃｏｒｄａｂｌｅ：一回記録可能なブルーレイディスク）のフォーマットに相当して構成されている。【０１３９】
具体的には、１つのＲＵＢは、物理的には、（２４８×（２×２８））個の物理クラスター（Ｐｈｙｓｉｃａｌ Ｃｌｕｓｔｅｒ）から構成され、論理的には、三つのＡＤＩＰワード（ＡＤＩＰ word ＮＯ．１〜ＮＯ．３）から構成される。即ち、３アドレス構成とされている。【０１４０】
１つのＡＤＩＰワードは、８３個のＡＤＩＰ単位（ＡＤＩＰ ｕｎｉｔｓ）から構成される。１つのＡＤＩＰ単位は、５６ｗｂｌ（ウォブル）から構成され、これは２つの記録フレーム（Ｒｅｃｏｒｄｉｎｇ ｆｒａｍe）に相当する。記録されるデータは、１５個のコードワード（ｃｏｄｅ ｗｏｒｄ）、即ち９ｎｉｂｂｌｅｓ（ニブル）の単位となる。従って、１つのＲＵＢは、１３９４４ウォブルに相当する区間となる。【０１４１】
図８及び図９に示した通り、各アドレスサブユニットは、４つのスロット（Ｓｌｏｔ）を１つのグループ（Ｇｒｏｕｐ）として、多数のグループから構成されている。１つのグループは、４スロットに相当するので、合計で、（１９＋２）×４＝８４ｗｂｌから構成されている。各スロットの先頭部にある２ｕｎｉｔｓは、緩衝領域２１Ｇ，２１Ｌ（図３参照）に割り当てられる。【０１４２】
よって、本例では、１つのＲＵＢの長さは、（８４×８３）×４÷２＝１３９４４より、１３９４４ｗｂｌに相当している。また、本例では、各スロットの先頭に位置する緩衝領域２１Ｇ，２１Ｌの長さは、１つのウォブルＤに相当し、Ｄ＝１ｗｂｌ＞１．２μｍ（光スポットの最大径）とされている。【０１４３】
図９に示すように、１スロット内におけるデータのアサイン（割り当て）の一例では、１スロットは、（１９＋２）＝２１ｕｎｉｔｓから構成されており、最初の２ｕｎｉｔｓが、緩衝領域２１Ｇ，２１Ｌに割り当てられ、続く３ｕｎｉｔｓがＳＹＮＣ信号（即ち、トラッキングエラー信号を検出可能とするシンク信号）に割り当てられる。続く１６ｕｎｉｔｓ（即ち、１Ｂｙｔｅｓ＝８ｂｉｔｓ  ＤＡＴＡ（１ｂｉｔ／２ｕｎｉｔｓ）が、データ（即ち、制御用データ、アドレスデータなど）に割り当てられる。【０１４４】
このように本実施例のプリアドレス構成については、１Ｒｅｃｏｒｄｉｎｇ  Ｕｎｉｔ  Ｂｌｏｃｋ相当に対して、４アドレス構成である。各々のアドレスは、８３ｓｕｂ−ｕｎｉｔｓにより構成される。アドレスデータ２４ｂｉｔｓ＋Ａｕｘ  Ｄａｔａ＋ＥＣＣｃｏｄｅにより構成される。ここに１Ｓｌｏｔ  Ｄａｔａ×８３Ｕｎｉｔｓ＝１Ｂｙｔｅ×８３＝８３Ｂｙｔｅｓである。【０１４５】
因みに、ＥＣＣブロックの構成については、例えば、４８Ｂｙｔｅｓ  ｒａｗ  ｄａｔa＋３５ＢｙｔｅｓをＥＣＣコードとして利用する。【０１４６】
例えば、符号Ｃ０、…、Ｃ８２(Ｐａｒｉｔｙ  Ｃ４８、…、Ｃ８２)について、以下のように、Ｒｅｅｄ‐Ｓｏｌｏｍｏｎコードを生成する。【０１４７】
【数１】
2011158376.tif 000003
＝{Ｉ(Ｘ)・Ｘ}ｍｏｄ{ＧＥ(Ｘ)}【０１４８】
【数２】
2011158376.tif 000004
【０１４９】
【数３】
2011158376.tif 000005
ここで、αは、原始元
Ｇｐ(ｘ)＝Ｘ８＋Ｘ４＋Ｘ３＋Ｘ２＋１
以上説明したように図３〜図９に示した実施例では、トラック方向及び径方向の双方について、離間したスロット内に、マーク領域２２Ｇ，２２Ｌを配置したので、第１ビームＬＢ１でガイド層１２のトラックＴＲを追従させながら、記録層１３へデータを記録させる際、プッシュプル信号をサンプリングすることによって又は位相差法（ＤＰＤ）により位相差信号をサンプリングすることによって、安定的に、連続したトラッキングエラー信号を生成することができる。例えば、左右の分割ディテクターからの差分であるプッシュプル信号の高域成分をＬＰＦ(Ｌｏｗ  Ｐａｓｓ  Ｆｉｌｔｅｒ)によって除去すれば、ウォブル成分及び不要な高域ノイズ成分を除去することが可能となる。ここで、偏心成分を含むトラッキングエラー信号を内周から外周に亘ってサンプルすることにより、連続して取得することが可能となり、記録層１３へ記録する際のトラッキングエラー信号として利用できる。【０１５０】
しかも、このようなトラッキングエラー信号の取得と共に、所定の帯域の記録用同期クロックをも連続して取得でき、既存フォーマットに準拠しておりこれと再生互換性がある情報記録が可能となる。【０１５１】
特に図８及び図９に示したように、１ＲＵＢを 4アドレス構成としたので、記録層１３への記録データフォーマットを例えばＢＤ−Ｒフォーマット準拠とした場合、ガイド層１２の第１ビームＬＢ１が、このＢＤ−Ｒフォーマット用の読取ビームより低密度用であるために発生する新たな問題を解決する手段を講じたとしても、記録用プリフォーマットとして必要なプリアドレス等のデータを、所望の情報量だけ形成しておくことができる。この際、１グループ内に、４スロットと第１ビームＬＢ１の光スポットＳＰ１の径による影響を除去するための緩衝領域２１Ｇ，２１Ｌを設けたので、このプリフォーマットデータの取得に際し、クロストークを低減できる。第１ビームＬＢ１のビーム径による影響も除去することができ、安定的にトラックＴＲに予め記録されたプリフォーマット情報を取得できる。【０１５２】
特に図 8に示した如く、本実施例では、各スロット内のビットに、ＳＹＮＣ、データ等を割り当てており、対応するマークを形成することにより、マーク領域２２Ｇ，２２Ｌとしてプリフォーマットアドレス構成に必要な部分情報を所望のスロット内に適応配置できる。本実施例のような光ディスク１１においては、ガイド層１２にデータを記録することがないので、当初の状態でマークを検出できればよい。このため、後に詳述する記録装置又は再生装置においてマークの検出が容易となる。【０１５３】
加えて、マーク領域２２Ｇ，２２Ｌを含む一のスロットが、１トラック前の隣接トラックのみならず、２トラック前に配置されたマーク領域２２Ｇ，２２Ｌを含む他のスロットと重ならないように適応配置される。よって、ガイド層１２を読み取るための第１ビームＬＢ１（例えば、赤色レーザ）が、ＢＤ−Ｒフォーマット用の第２ビームＬＢ２より低密度用であっても、ウォブル及びプリピットを検出する際に、隣接した複数のトラックＴＲに配置されたマーク領域２２Ｇ，２２Ｌによる影響を回避することができる。よって、良好なプリフォーマットデータを取得できる。【０１５４】
次に、ガイド層１２のマーク領域２２Ｇ，２２Ｌへのマークの配置条件について、図１０〜図２３を参照して説明する。【０１５５】
先ず、マークの配置条件に関し考慮すべき各種条件について、図１０〜図１２を参照して説明する。ここに、図１０は、本実施例における、グルーブトラック及びランドトラック上のマークの配置と読み取りビーム径との関係（条件）を示す。図１１は、図１２で示した緩衝領域の適切な長さ選定の効果の理解を容易にするための比較図である。図１２は、本実施例における、グルーブトラック及びランドトラック上の緩衝領域の長さと、スロット数との関係の例を示す。【０１５６】
図１０を参照して、ここで考慮すべき条件の一つとして、光スポットＳＰ１の径（即ち、読取りビーム径）との関係について検討を加える。【０１５７】
図１０に示すグループ及びスロットの構成例では、第１ビームＬＢ１のビーム径（即ち、光スポットＳＰ１の直径）をDread、トラックピッチ（即ち、ランド／グルーブ間）をＰとすると、同時に読込むトラックＴＲの数は、（Dread /Ｐ）＋１となる。【０１５８】
よって隣接｛（Dread /２）/Ｐ｝トラック分について、重ならないように配置する必要がある
本実施例では、Dread＝１[μｍ]、Ｐ＝０．３２[μｍ]であるので、同時に読み込むトラック数は、Dread /Ｐ＋１＝(１/０．３２)＋１＝５（切り上げ）となる。【０１５９】
よって、図１０に示した通り、｛（Dread /２）/Ｐ｝＝｛（１/２）/０．３２｝＝２（切り上げ）より、センタートラック２３ＴＲを基準に考えると、隣接２トラック分について、重ならないように配置する必要がある。【０１６０】
以上より、ランド／グルーブ方式（即ち、ランドトラック及びグルーブトラックの両方のトラックをトラッキングに用いる方式）を採用する場合には、隣接ランドトラック及び隣接グルーブトラックについて、マーク領域２２Ｇ、２２Ｌが半径方向に重ならないように配置する必要がある。【０１６１】
隣接するトラックＴＲの長さは、２πＰ（但し、Ｐはトラックピッチ）だけ異なるため、ＣＬＶでの隣接する部分は、周回毎に（即ち、第１ビームＬＢ１の照射位置が径方向外側にトラック一本分だけ移動する都度に）２πＰズレていく。【０１６２】
ビーム半径から同時に読み込むトラック数内でのズレ量は、
２πＰ×｛（Dread /２）/Ｐ｝＝π×Dread［μｍ］
である。【０１６３】
このズレ量を、トラックに沿った緩衝領域の長さである「ｎ×ＵL」よりも小さくすれば、ＣＬＶのズレによる影響を無くす或いは無視することが可能となる。但し、ｎは、緩衝領域２１Ｇ（又は２１Ｌ）を構成するｕｎｉｔ数、ＵLは、１ｕｎｉｔの長さである。言い換えれば、本実施例の緩衝領域２１Ｇ（又は２１Ｌ）は、長さＵLのｕｎｉｔが、ｎ個集まって構築される。【０１６４】
本実施例では、Ｐ＝０．３２[μｍ]とすると、
ΔＸ＝２πＰ≒２．０１[μｍ]（但し、ΔＸ＝２π（ｒ＋Ｐ）−２πｒ）となる。【０１６５】
ここで、１ｕｎｉｔの長さＵLは、ＢＤフォーマット相当のウォブル１波（即ち、）の半分なのでＵL＝６９（Channel bit）×０．０７４５［μｍ］／２＝２．５７０２５［μｍ］
７０２５０２５２５５となる。
となる。となる。となる。【０１６６】
これらの結果、図１１及び図１２に、破線サークル１００３及び破線サークル１００４で夫々囲んだ緩衝領域としては、トラック方向に沿った２ｕｎｉｔｓの長さのものを設ければよいことになる。【０１６７】
図１１において、より具体的には、最上段のトラックｎ−２（グルーブトラック）におけるマーク領域２２Ｇと、最下段のトラックｎ（グルーブトラック）におけるマーク領域２２Ｇとは、相互に重なって配置できない。このため、最下段のトラックｎ（グルーブトラック）における破線サークル１００３で囲んだ緩衝領域２１Ｇの場合、最上段のトラックｎ−２（グルーブトラック）に配置された１つのスロットを避けるために、２スロット必要になる。【０１６８】
図１２において、より具体的には、最上段のトラックｎ−２（グルーブトラック）におけるマーク領域２２Ｇと、最下段のトラックｎ（グルーブトラック）におけるマーク領域２２Ｇとは、相互に重なっていない。このため、最下段のトラックｎ（グルーブトラック）における破線サークル１００４で囲んだ緩衝領域２１Ｇの場合、最上段のトラックｎ−２（グルーブトラック）に配置された１つのスロットを避けるために、１スロットだけ必要になる。【０１６９】
図１０〜図１２を参照して説明したように、緩衝領域２１Ｇ，２１Ｌの長さを適切に設定することで、マーク或いはマーク領域２２Ｇ、２２Ｌが配置されたスロットの影響が、半径方向に複数トラックを隔てた先のスロットの隣のスロットに及ぶことがなく、しかも重ならないようにするための、マークの離散的配置用に確保すべきスロット数を少なくすることができる。【０１７０】
このように本実施例では好ましくは、マーク領域２２Ｇ，２２Ｌが配置されるスロットは、第1ビームＬＢ１により形成される第１光スポットＳＰ１（図１０）の径Ｄｒｅａｄと、トラックＴＲのトラックピッチＰと、ＣＬＶ方式に準拠して周回毎に径方向に相隣接する二つのスロット間の相対位置が、ＣＡＶ方式に準拠したと仮定した場合に比べてトラック方向に沿ってずれる変位量と、スロットのトラック方向の長さとに基づく、スロット単位での繰り上げ計算により、光スポットＳＰ１内に同時に含まれないようにトラック方向及び径方向に離間した、複数のスロット（例えば、径方向に所定本のトラック分だけ離間し且つトラック方向に所定個数のスロットだけ離間した複数のスロット）として選定される。選定されたスロット内にのみマーク領域２２Ｇ，２２Ｌを配置すれば、比較的容易にして確実に、記録用同期クロック、ＳＹＮＣ信号或いはトラッキングエラー信号に係るクロストークの発生を回避し得る、スロット配置を実現できる。【０１７１】
以上詳細に説明したように、本実施例によれば、ＣＬＶ方式を採用しつつ、記録層１３において記録若しくは再生できるトラックピッチや記録線密度を、多層記録型の光ディスク１１における本来の目的である「高密度記録」と言える程度にまで高めることが可能となる。【０１７２】
次に、マークの配置条件に関する各種の基本的要求事項について、図１３〜図２２を参照して説明する。【０１７３】
先ず、基本的要求事項のうち、記録再生システムからの要求事項としては、ガイド層１２に対して、少なくとも以下の情報が必要となる。
・第１要求事項：トラッキング信号生成情報
・第２要求事項：複数トラック横切り信号生成情報（サーボクローズ用）
・第３要求事項：トラックジャンプ横切り信号生成情報（トラックジャンプ用）
・第４要求事項：プリアドレス生成情報（記録位置情報の生成）
・第５要求事項：記録用同期クロック生成情報
・第６要求事項：記録スタートタイミング生成情報
これに対して、光ディスク１１における「高密度化」に伴う制限があり、特に「基本的課題」として、記録層１３の高密度化に伴うガイド層１２のフォーマットの高密度化、及び、記録層１３のビーム径に比して、ガイド層１３のビーム径が大きいことにより、ガイド層１２に配置された複数マークを、同時に読込んでしまうと、所望の情報が得られないという基本的課題がある。他方で「基本的課題の解決策により生じる新たな課題」として、ガイド層１２に配置された複数マークを、同時に読込むことを防止するため、所定のマークを重ならないように分散配置することが有効である。【０１７４】
しかし、このように分散配置すると、上述の基本的課題のうち、前記第２要求事項（複数トラックジャンプ横切り信号生成情報）及び第３要求事項（トラックジャンプ横切り信号生成情報）において結果的に、十分な情報が得られない等、何らかの制限が加わることになる。【０１７５】
この制限について図１３〜図１５を参照して説明する。ここに図１３は、グルーブマーク離散配置構成例における、グルーブトラックＧＴ及びランドトラックＬＴ上のマークの分散配置と、トラック横切り信号との関係を示す。図１４は、本実施例における、グルーブトラッキング方式の場合のトラック横切り信号の制限の緩和策の一例を示す。図１５は、本実施例における、ランド／グルーブトラッキング方式の場合のトラック横切り信号の制限の緩和策の一例を示す。【０１７６】
図１３に示すように、トラッキングサーボがオープン状態では、ビーム（光スポットＳＰ１）と光ディスク１１の関係は、主に偏心の影響により、矢印ＡＲ−Ａ、矢印ＡＲ−Ｂ、矢印ＡＲ−Ｃ、矢印ＡＲ−Ｄに示したように、様々な角度、相対速度関係となり得る。【０１７７】
例えば、矢印ＡＲ−Ａ、矢印ＡＲ−Ｃのように、光スポットＳＰ１が動く場合には、十分なトラック横切り信号が生成される。他方で、矢印ＡＲ−Ｂ、矢印ＡＲ−Ｄのように光スポットＳＰ１が動く場合には、トラック横切り信号生成が制限される。【０１７８】
このことは、グルーブトラックＧＴ及びランドトラックＬＴ上におけるマーク或いはマーク領域２２Ｇ，２２Ｌの分散配置が、トラッキングサーボの引込み確率に影響を与えるということを意味する。【０１７９】
このため「トラック横切り信号生成情報の制限の緩和策」として、ガイド層１２のトラッキング方式として、トラック横切り信号生成という観点から、図１４に示すグルーブトラッキング方式及び図１５に示すランド／グルーブ方式について検討する。【０１８０】
図１４に示すように、グルーブトラッキング方式の場合には、Ａ−Ａ断面が相対的に細かいために、トラッキングエラー信号ＴＥ上において、所望の（即ち、十分な振幅を有する）トラック横切り信号が得られない。【０１８１】
図１５に示すように、ランド／グルーブトラッキング方式の場合には、Ｂ−Ｂ断面が相対的に細かくないために、トラッキングエラー信号ＴＥ上において、所望の（即ち、十分な振幅を有する）トラック横切り信号が得られる。【０１８２】
図１４及び図１５から明らかなように、ランド/グルーブ方式の方が、同じトラックピッチ密度に対して、トラッキングエラー信号ＴＥ上におけるトラック横切り信号生成に関して有利である。【０１８３】
次に、光ディスク１１における「高密度化」に伴う制限の他のものとして、マーク配置とランド/グルーブ構造との関係がある。この制限について図１６〜図１８を参照して説明する。ここに図１６は、本実施例における、グルーブトラックＧＴ及びランドトラックＬＴ上のマークの分散配置を、その記録再生装置における受光部１０２ＤＴと共に示す。図１７は、本実施例における、グルーブトラックＧＴ及びランドトラックＬＴ上のマークの分散配置及び連続グルーブを示す。図１８は、本実施例における、信号分離部の一具体例を、分離により得られる信号と共に示す。【０１８４】
図１６では、光スポットＳＰ１が、ガイド層１２上にて分散配置されたマーク（即ち、分散配置マークが形成されたマーク領域２２Ｇ，２２Ｌ）上を移動する。これにより、記録再生装置では、対物レンズ１０２Ｌを介して、二分割フォトディテクタ（受光部）１０２ＤＴにて、反射光が受光される。すると、０次元光と１次光との重なる部分が、二分割の受光面上に現れ、ＰｕｓｈＰｕｌｌトラッキングエラー信号ＴＥが生成される。【０１８５】
図１７では、光スポットＳＰ１が、ガイド層１２上の連続グルーブ構造ＧＴ０を有する連続グルーブと周期の長いマーク（即ち、周期の長いマークＬＧが形成されたマーク領域２２Ｇ，２２Ｌ）及び周期の短いマーク（即ち、周期の短いマークＳＴが形成されたマーク領域２２Ｇ，２２Ｌ）との上を移動する。【０１８６】
ガイド層１２のトラッキング方式として、トラック横切り信号生成という観点から、連続グルーブ又は連続ランドによるランド／グルーブ方式が有利である。しかし、プッシュプルエラー検出をする記録再生装置（図１６の下半分参照）では、図１７の左側のような、ビーム径に対して周期の長いマークＬＧが配置されると、隣接のグルーブにおいて所望のプッシュプル信号検出ができない。即ち、隣接トラックは、グルーブ構造とはできない。【０１８７】
このようにガイド層１２上において、図１６に示した如きマークの分散配置と、図１７に示した如き連続グルーブ構造ＧＴ０（或いは連続ランド構造）とでは、それらの両立が困難或いは実践上不可能となる。【０１８８】
そこで、本実施例では図１８に示した如くに信号分離を行うことで、それらの両立を行う。【０１８９】
このため先ず光ディスク１１について、トラッキングサーボ帯域と所定の関係を有するマーク長のみを分散配置する。ここに言う「所定の関係」とは、「トラッキングサーボ帯域で位相まわりが無視できるフィルタで分離可能なマーク長」であり、これは、トラッキングエラー情報を、サンプリングによって検出しても位相情報まで概略再現できるマーク長である。【０１９０】
具体的には、例えば、トラッキングサーボ帯域を２ＫＨｚと仮定すると、サンプリングによるエラー検出で位相まわりが無視できる、１０倍のレートを考慮にいれる。更に、分離用低域通過フィルターの位相まわりが無視できる、１０倍程度が望ましく、約２００ＫＨｚとなる。２ｕｎｉｔｓは、６９Ｃｈａｎｎｅｌ  ｂｉｔ長（約５μｍ）で、約１ＭＨｚである。【０１９１】
よって、ここで求めるマーク長さは、６９×１[ＭＨｚ]／０．２[ＭＨｚ]＝３４５Ｃｈａｎｎｅｌ  ｂｉｔ相当となる。即ち、７４．５ｎｍ×３４５＝２５．７[μｍ]となる。【０１９２】
図１８に示すように、この場合、トラッキングサーボ（Tracking  servo）は、二分割フォトディテクタ１０２ＤＴの出力信号の差分信号である信号Ｓ１を、ＬＰＦ（ローパスフィルタリング）したラジアルプッシュプル（Radial Push-pull）信号により行う。この場合のトラッキングサーボ領域は、例えば、２００ＫＨｚ以下とする。【０１９３】
他方、プレアドレス（Pre-address）信号は、二分割フォトディテクタ１０２ＤＴの出力信号の合算信号である信号Ｓ２を、ＨＰＦ（ハイパスフィルタリング）したＲＦ信号として取得する。この場合に透過させる周波数帯域は、例えば、１ＭＨｚ以上とする。【０１９４】
更に、記録再生装置にて、信号Ｓ１に係るトラッキング信号生成情報と、信号Ｓ２に係るプリアドレス生成情報とを、分離可能なマーク長で生成する。【０１９５】
以上のように分離することで、図１６及び図１７に示した如くマークをどのように分散配置しても、トラッキング信号生成情報に影響を与えない。このため、ランド／グルーブ方式の連続サーボが可能となる。【０１９６】
次に「所定範囲の長さのマークを配置したランド／グルーブ構造と、前述の基本的要求事項（第１要求事項〜第６要求事項）との関係」について説明する。【０１９７】
グルーブ間隔が、０．６４μｍ程度であれば、赤色レーザーの読取りビーム径（即ち、光スポットＳＰ１の直径Ｄｒｅａｄ）が１μｍ程度である。このため、トラック横切り信号生成に問題はなく、前述の基本的要求事項のうち、第１〜第３要求事項は満たすことになる。また、マークの分散配置を適用することで（図１６参照）、第４要求事項に関しても満たすことができる。【０１９８】
なお、ここに言うマークの長さについての「所定範囲」は、従来方式の分離可能なデータ長に課される要求範囲とは異なり、ガイド層１２に特有の条件が許容される。【０１９９】
即ち、従来の記録層１３に記録されるデータ長は、トラッキング信号とは分離可能なマークのうち、高密度を達成するために、出来るだけ短いマーク群を選択することが必須である。例えば、ＤＶＤ等では３Ｔ〜１４Ｔといった範囲である。【０２００】
しかし、本実施例では、ガイド層１２は記録層１３とは独立しており、配置するデータ密度も独立しているので、ガイド層１２に配置するマーク（データ）は、必ずしも高密度である必要はない。このため、「所定範囲」は広く設けることができる。【０２０１】
これらの結果、「検出の容易なマークパターンの選択」及び「誤りにくいマークパターンの組合せ」等が、フレキシブルに可能となり、配置できるマークの選択幅が広がる利点がある。【０２０２】
次に、上述の基本的要求事項のうち、第５及び第６要求事項を満たすための分散配置規則について図１９〜図２２を参照して説明する。ここに図１９は、実施例における、グルーブトラックＧＴ及びランドトラックＬＴ上のマークのサーボ信号への影響を示す。図２０は、本実施例における、グルーブトラックＧＴ及びランドトラックＬＴ上のマークのデータ取得への影響を示す。図２１は、本実施例における、切替エリア１２ＳＡが設けられたガイド層１２と共に、記録層１３上にデータが記録される様子を示す。図２２は、本実施例における、切替エリア１２ＳＡが設けられたガイド層１２と共に、記録層１３上へのデータの記録開始位置を示す。【０２０３】
これらの第５及び第６要求事項を満たすためには、先ず、「記録層データ構造と整数倍関係にあるSlot構成単位から成るグループ構成」及び「記録用同期クロック生成」のため、グルーブ上においても、ランド上においても、所定間隔以下でマークの配置が必要となる。よって、マークの長さについての所定間隔は、所定帯域を満足する記録クロック生成のためのサンプル間隔以下とする。【０２０４】
マークが配置されない位置からの、記録層１３へのデータ記録タイミング生成のため、１グループに1スロット配置されたマークから、所定の位置の記録スタートタイミングを生成する。【０２０５】
ランド／グルーブ切替エリア１２ＳＡの期間を、１グループ期間の整数倍とし、実際にマークが無い場合でも、記録スタートタイミングを補間により、生成可能とする。【０２０６】
図１９に示すように、このようにマークを分散配置すれば、エリア１１０１においては破線サークルで囲まれたマーク（即ち、破線サークルで囲まれたマーク領域２２Ｌ、２２Ｇ）は、グルーブトラック上の光スポットＳＰ１によるグルーブサーボ（即ち、これにより得られるサーボ信号）に対して、影響を及ぼさない。更に、このようにマークを分散配置すれば、エリア１１０２において、破線サークルで囲まれたマークは、ランドトラック上の光スポットによるランドサーボ（即ち、これにより得られるサーボ信号）に対して、影響を及ぼさない。【０２０７】
図２０に示すように、本実施例のような適切な分散配置をしないで重なりを生ずると、エリア１１０３においては破線サークルで囲まれたマークは、グルーブトラック上の光スポットＳＰ１によるデータ取得（即ち、これにより得られるＲＦ信号）に対して、影響を及ぼす。更に同様に、エリア１１０４において、破線サークルで囲まれたマークは、ランドトラック上の光スポットによるデータ取得（即ち、これにより得られるＲＦ信号）に対して、影響を及ぼす。【０２０８】
以上のように、各要求事項が満足されることによって、ガイド層１２上におけるマークの存在によるサーボ信号への悪影響及びデータ取得への悪影響が低減される。これにより、図２１及び図２２に示すように、記録層１３上における、データ記録が実行可能となる。【０２０９】
即ち図２１に示すように、対物レンズ１０２Ｌを介して照射される第１ビームＬＢ１が、ガイド層１２上で、ランド／グルーブ切替エリア１２ＳＡを通過する際にも、即ちランド／グルーブ切替ポイントを通過する際にも、対物レンズ１０２Ｌを介して照射される第２ビームＬＢ２による、記録総１３上における連続記録が可能となる。更に、図２２に示すように、第１ビームＬＢ１により記録用同期クロック発生及びトラッキング動作等を行いつつ、第２ビームＬＢ２により記録層１３上における所望の位置からデータ記録を開始させることも可能となる。【０２１０】
次に「１グループ内の構成例とスロット配置とに必要とされる条件」について、図２３を参照しながら説明する。ここに、図２３は、本実施例における、グルーブトラック及びランドトラック上のマークの配置の一例を示す。【０２１１】
第１に、「１グループ構成条件とスロット配置条件」については、前述したように緩衝領域２１Ｇ，２１Ｌを２ユニット期間設けることにより（図９〜図１２参照）、2トラック内側とのズレは、スロット間に跨ることはなくなる。【０２１２】
ここで、ズラして配置すべきデータは、（ｉ）自己アドレス（ｉｉ）直前の隣接アドレス及び（ｉｉｉ）２トラック前のドアドレス、の３つなので、隣接２トラック分について、重ならないように配置するために、スロットは、少なくとも３スロット以上必要となる。【０２１３】
図２３に示したように、そこで本実施例では、１グループを４スロット構成とし、マークは、少なくとも１グループ内に１つのスロットに配置される。【０２１４】
第２に、「トラッキングサーボとの関係」については、信号分離可能なマークのみによる構成としており、マークがグルーブ／ランドサーボに影響しないため（図１９参照）、トラックは、連続グルーブ／連続ランド構成とすることができる。即ち、ランド／グルーブ方式連続サーボが可能とされる（図２３参照）。【０２１５】
なお、この場合には、トラッキングサーボ信号生成のためのマークは、所定間隔で配置する必要はない。【０２１６】
第３に、「記録クロックの生成と記録位置の特定」については、記録時のクロック生成のため、グルーブ上においてもランド上においても、所定間隔以下でマークの配置が必要となる。この際、所定間隔は、所定帯域を満足する記録クロック生成のためのサンプル間隔以下とする。マークが配置されない位置からの、記録層へのデータ記録タイミング生成のため、１グループに１スロット配置されたマークから、所定の位置の記録スタートタイミングを生成する。そのために、記録層１３の１ＥＣＣの先頭に対応する位置が、いずれかの１グループの先頭と一致する構成を採用する（図８参照）。【０２１７】
図２３は、本実施例における、以上の諸条件を満足するマークの配置例である。【０２１８】
以上図１〜図２３を参照して、詳細に説明したように本実施例によれば、図３に示したようにトラックを形成するので（即ち、所定範囲の長さから成るマーク群を含むマーク構造を有する領域を設けるので）、マーク領域２２Ｇ，２２Ｌの配置によらず、トラッキング信号生成に影響を与えない。このため、ガイド層１２のトラッキング信号生成の方式を、ランド／グルーブ方式とすることができる。更に、その他必要な種々の情報（前述の第１〜第６要求事項参照）を生成することができる。このように、ランド／グルーブ方式とマーク配置との両立が可能とされる。【０２１９】
本実施例の「マーク領域２２Ｇ，２２Ｌ」に関し、第１〜第６要求事項別にまとめれば次の通りである。【０２２０】
第１要求事項（トラッキング信号生成情報）については、ランド／グルーブ方式による連続信号トラッキングサーボを行う。【０２２１】
第２要求事項（複数トラック横切り信号生成情報）については、高密度化しても、トラック横切り信号を、ディスク上のどの位置においても十分に生成できる。このため、ディスク上のどの位置においても、スムーズなトラッキングサーボクローズ動作が可能となる。【０２２２】
第３要求事項（トラックジャンプ横切り信号生成情報）についても同様に、トラックジャンプに関してランド／グルーブ切替エリア１２ＳＡを除く、光ディスク１１上のどの位置においても可能となる。【０２２３】
第４要求事項（プリアドレス生成情報）については、所定範囲の長さから成るマーク群を、所定のエリアで重ならないように離散的に適応配置したので、光ディスク１１上のどの位置でも、アドレス情報が取得できる。隣接ランドに配置されたマークのみならず、隣接グルーブに配置されたマークの影響を排除できるため、必要なデータ、タイミング、の取得が可能となる。【０２２４】
第５要求事項（記録用同期クロック生成情報）については、マーク領域２２Ｇとマーク領域２２Ｌとが、それらの間隔が所定の間隔以下になるようにされつつ、光ディスク１１の全面に配置されている。このため、ガイド層１２の光ディスク１１の内周から外周に亘って、どの位置においても、サンプリングにより、所定帯域の、光ディスク１１の回転に同期した、記録クロック信号の生成が可能となる。しかも、所定の位置からの記録タイミングの生成も容易となる。【０２２５】
更に、記録層１３のデータフォーマットの構成単位とスロットを構成するユニット長が、所定の整数比の関係にあり（図８参照）、整数倍のスロットから１グループを構成し、少なくともその１つのスロットにマークを配置させたので、所定の間隔が容易に設定できる。配置されたマークに同期したクロックが容易に生成できる。これらの結果、記録クロックの生成、及び記録スタートのタイミング生成が容易となる。【０２２６】
第６要求事項（記録スタートタイミング生成情報）については、記録層１３のデータ長と所定の整数関係にあるユニット／スロットから構成されているので、記録用同期クロックと、プリアドレス情報等から、記録すべき先頭タイミングを特定できる。ＰＬＬ構成によりタイミング生成できるので、ロバストネスを有するタイミング生成が可能となる。【０２２７】
本実施例の「緩衝領域２１Ｇ，２１Ｌ」に関しては、所定の長さとしたので（図９〜図１２参照）、ＣＬＶによる周長さのズレの影響を、緩衝領域２１Ｇ，２１Ｌで吸収することができ、適応配置のためのスロット数を減らすことができ、配置規則も容易となる。
所定の長さの緩衝領域２１Ｇ，２１Ｌは、グルーブトラックではグルーブ構造として、ランドトラックではランド構造として構築しているので、グルーブ上でのトラッキングサーボは、グルーブ上に配置したマークとは無関係に、連続したグルーブトラッキングが可能となる。またランド上でのトラッキングサーボは、ランド上に配置したマークとは無関係に、連続したランドトラッキングが可能となる。【０２２８】
本実施例の「ランド／グルーブ切替エリア１２ＳＡ」に関しては、図５に示したように、隣接グルーブ或いは、隣接ランド間で、２種（複数）の切替マークを重ならないように配置したので、ランド／グルーブの切替タイミング情報を、良好に取得することが可能となる。【０２２９】
更に、ランド／グルーブ切替エリア１２ＳＡの長さを、所定の長さ（１グループGroupの整数倍）に設定したので、所定のマークが仮に配置されないようなランド／グルーブ切替エリア１２ＳＡにおいて、記録層１３に記録するデータの先頭がランド／グルーブ切替エリア１２ＳＡにある時でも、記録スタートタイミング等の必要なタイミングを容易に生成することができる。【０２３０】
また、「ランド／グルーブ切替エリア１２ＳＡ」の他の実施例として、図６に示したように、切替マークを半径方向に揃うように構成することも可能である。この場合には、隣接するエリア（図６中、三角斜線部分）にマークを配置しないエリアを設けることにより、所定の長さ（１グループの整数倍）に設定することができる。この実施例のように、切替マークを半径方向に揃うように構成すれば、トラッキングオープン状態でも検出可能となり、トラッキングサーボの引込みに対しても有利な対応が可能となる利点がある
図７に示すように、ランド／グルーブ切替エリア１２ＳＡが、所定量（1グループ分）トラック方向にズレたら、所定量、その位置をシフトするようにしたので、ランド／グルーブ切替エリア１２ＳＡは、光ディスク１１における、ほぼ半径方向の所定位置（ほぼ同一位相位置）となり、ＣＬＶであるにもかかわらず、ランド／グルーブの利用効率がよくなる。
＜情報記録再生装置及び方法の実施例＞
次に、図２４から図３３を参照して、本発明に係る情報記録再生装置及び方法の実施例について説明する。【０２３１】
図２４において、記録再生装置１０１は、本発明に係る「情報記録装置」及び「情報再生装置」の一例たるディスクドライブとして構成されており、ホストコンピュータ２０１と接続されている。【０２３２】
記録再生装置１０１は、光ピックアップ１０２、信号記録再生部１０３、スピンドルモータ１０４、バス１０６、ＣＰＵ（ドライブ制御部）１１１、メモリ１１２、及びデータ入出力制御部１１３を備える。記録時には、光ピックアップ１０２が有する対物レンズ１０２Ｌ（図２参照）を介して、第１ビームＬＢ１及び第２ビームＬＢ２が照射され、再生時には、同じく対物レンズ１０２Ｌを介して、タイミング生成用及びトラッキング用の光ビームを兼ねる第２ビームＬＢ２のみ、又は、第１ビームＬＢ１及び第２ビームＬＢ２の両方が照射されるように構成されている。【０２３３】
ホストコンピュータ２０１は、操作／表示制御部２０２、操作ボタン２０２、表示パネル２０４、バス２０６、ＣＰＵ２１１、メモリ２１２、及びデータ入出力制御部２１３を備えて構成される。記録時には、記録すべきデータが、データ入出力制御部２１３から入力され、再生時には、再生されたデータが、データ入出力制御部２１３から出力されるように構成されている。【０２３４】
光ピックアップ１０２は、第1ビームＬＢ１を発する赤色半導体レーザと、第２ビームＬＢ２を発する青色半導体レーザと、対物レンズ１０２Ｌを含む、プリズム、ミラー等から構成される合成分離光学系とを備える。光ピックアップ１０２は、共通の対物レンズ１０２Ｌを介して、第1ビームＬＢ１及び第２ビームＬＢ２を同軸的に且つ異なるフォーカスにて（図１及び図２参照）照射するように構成されている。【０２３５】
更に、光ピックアップ１０２は、第1ビームＬＢ１に起因する光ディスク１１からの反射光を、対物レンズ１０２Ｌを介して受光する、二分割或いは四分割のＣＣＤ等の受光素子と、第２ビームＬＢ２に起因する光ディスク１１からの反射光を、対物レンズ１０２Ｌを介して受光する、二分割或いは四分割のＣＣＤ等の受光素子とを含んで構成される。光ピックアップ１０２は、第２ビームＬＢ２を、記録時に相対的に高強度の記録用強度で変調可能であり、再生時に相対的に低強度の再生用強度に設定可能に構成されている。【０２３６】
光ピックアップ１０２及び信号記録再生部１０３は、少なくとも記録時に、ガイド層１２からの反射光を受光する受光素子からの受光信号により、例えばプッシュプル法又は位相差法（ＤＰＤ）で、トラッキングエラー信号を生成し、更に、プリピット信号或いはアドレス情報を再生可能に構成されている。【０２３７】
光ピックアップ１０２及び信号記録再生部１０３は、再生時に、記録層１３からの反射光を受光する受光素子からの受光信号により、例えばプッシュプル法又は位相差法でトラッキングエラー信号を生成し、例えば全光量に対応する信号としてデータ信号を生成するように構成されている。【０２３８】
或いは、光ピックアップ１０２及び信号記録再生部１０３は、再生時に、ガイド層１２からの反射光を受光する受光素子からの受光信号により、トラッキングエラー信号を生成し、記録層１３からの反射光を受光する受光素子からの受光信号により、データ信号を生成するように構成されている。【０２３９】
本実施例では特に、信号記録再生部１０３は、後に詳述するように、記録用同期クロックを生成可能に、更に記録用のタイミング生成を実行可能に構成されている（図２５〜図２８参照）。【０２４０】
メモリ１１２及びメモリ２１２は、(i)記録再生装置１０１におけるＣＰＵ１１１等の各要素、及びホストコンピュータ２０１におけるＣＰＵ２１１等の各要素を、次に説明する記録再生動作が行われるように制御するためのコンピュータプログラム、並びに(ii)記録再生動作に必要な、制御データ、処理中データ、処理済みデータなどの各種データを、バス１０６、バス２０６等を介して一時的又は恒久的に保持するのに適宜用いられる。【０２４１】
図２５において、信号記録再生部１０３は、フォーカスサーボ部１５１、トラッキングサーボ部１５２、記録系データ処理部１５４、再生系データ処理部１５５、スピンドル・スレッドサーボ部１５７、及記録クロック生成部１５８を備えて構成されている。【０２４２】
フォーカスサーボ部１５１は、光ピックアップ１０２における対物レンズ１０２Ｌを、光ピックアップ１０２から出力されるフォーカスエラー信号に応じて光軸に沿って駆動させる。トラッキングサーボ部１５２は、光ピックアップ１０２における対物レンズ１０２Ｌを、光ピックアップ１０２から出力されるトラッキングエラー信号に応じて光軸に交わる方向に駆動させる。再生系データ処理部１５５は、光ピックアップ１０２からの受光出力を用いて、各種信号（図１５、図１６、図１８等参照）を再生するように構成されている。【０２４３】
記録クロック生成部１５８は、光ディスク１１のマーク領域２２Ｇ，２２Ｌからのタイミング情報に応じて、記録用同期クロック信号等のタイミング生成を実行する。【０２４４】
図２６において、記録クロック生成部１５８は、同期検出（Ｓｙｎｃ）＆周期検出回路４００、加算回路４０１、サンプルタイミング（Sample timing）回路４０２、増幅＆イコライザー回路４０３、ＶＣＯ（Voltage Controlled Oscillator）回路４０６、及び分周回路４０７を備える。【０２４５】
同期検出＆周期検出回路４００はＲＦ信号（図１８参照）に対して、同期検出及び周期検出を行い、プレフォーマット（Pre-format）信号位相を出力する。加算回路４０１は、このプレフォーマット（Pre-format）信号位相から、分周回路４０７からフィードバックされる書き込み位相を減算して出力する。【０２４６】
サンプルタイミング回路４０２は、スイッチ、キャパシタ及びバッファを含んでなり、加算回路４０１からの出力をサンプリングする。サンプルタイミング回路４０２からのサンプリング出力は、増幅＆イコライザー回路４０３を経て、ＶＣＯ回路４０６により、発振出力されることで、同期用記録クロック等が生成される。同期用記録クロックの一部は、分周回路４０７を経て、書き込み位相とされて、加算回路４０１へフィードバックされるように構成されている。【０２４７】
より具体的には、サンプルタイミング回路４０２は、サンプル値をホールドする、いわゆる「零次ホールド回路」として構成されている。具体的には、サンプリングタイミングにて閉じるサンプリングスイッチと、これをホールドするキャパシタと、バッファとを備える。サンプルタイミング回路４０２により、減算信号は、サンプリングスイッチにより、トラッキングサーボを動作させる周波数帯域に応じたサンプリングタイミングでサンプリングされ、更にキャパシタによりホールドされ、バッファによりバッファリングされる。サンプリングタイミングは、例えば、第１ビームＬＢ１を受光する受光素子にて検出された、記録用同期クロックの元になる信号、ウォブル信号及びプリピット信号などの、マーク信号により生成される。但し、サンプリングタイミングの生成方法は、これに限られず、後述する変形例等の媒体構成に応じて生成されてよい。また、サンプルタイミング回路４０２の構成についても、これに限られることはなく、「１次ホールド回路」等でもよいことは言うまでもない。【０２４８】
図２７は、２０ＫＨｚサンプリングの場合における、記録クロック生成用ＰＬＬ（Phase-Locked Loop）のオープンループ特性の一例を示し、図２８は、マーク領域２２Ｇ，２２Ｌ（図３等参照）からのマーク検出による記録用同期クロックの生成、並びに、これをＮ分周して得られるＰＬＬ１／Ｎ分周信号、それに対応するスロットの同期信号（Slot Sync）、ＥＣＣ先頭信号及び記録スタートのタイミングを示している。【０２４９】
図２６〜図２８に示したように、記録クロック生成部１５８によって、マーク領域２２Ｇ，２２Ｌ（図３等参照）の存在に応じて、記録用同期クロックが生成されると共に、記録スタートなどのタイミング生成が実行される。【０２５０】
再び図２５において、記録系データ処理部１５４は、記録クロック生成部１５８による記録用のタイミング生成（図２８等参照）に応じて、記録すべきデータの処理を実行する。スピンドル・スレッドサーボ部１５７は、記録クロック生成部１５８から出力されるクロックに応じて、スピンドルモータにおけるスピンドル制御及びスレッド制御を行うように構成されている。【０２５１】
尚、図２５〜図２８においては、説明の便宜上、記録クロック生成部１５８により、クロックとして、記録用同期クロックを生成することとしているが、再生時にも、同様に第１ビームＬＢ１を、ガイド層１２に照射することで、同様に、クロック（即ち、再生用同期クロック）を生成することも可能である。【０２５２】
以下、図２４〜図２８に加えて、図２９から図３３を参照して、本実施例の記録再生装置１０１の各構成要素における構成及び動作を、記録再生装置１０１の全体動作と共に説明する。ここに図２９は、情報記録再生装置１０１における、記録再生動作を示し、図１６は、記録動作の一例の詳細を示し、図３２は、再生動作の一例の詳細を示し、図３３は、再生動作の他の例を詳細に示す。【０２５３】
図２９において、先ず、記録再生装置１０１に対し、ユーザによる手動又は機械動作により、上述した本実施例に係るフォーマットの光ディスク１１が装着される（ステップＳ１１）。【０２５４】
すると、ユーザによる表示パネル２０４を見ての操作ボタン２０３上での操作などに応じた動作開始コマンドが、ドライブ側の操作／表示制御部２０２及びＣＰＵ１１１、並びにホスト側のＣＰＵ２１１等により発生される。この動作開始コマンドを受けて、信号記録再生部１０３による制御下で、スピンドルモータ１０４による光ディスク１１の回転が開始される。これと相前後して、信号記録再生部１０３による制御下で、光ピックアップ１０２による光照射が開始される。更に、ガイド層１２に対する読取用サーボ系が動作される。即ち、第１ビームＬＢ１が照射され、ガイド層１２に集光されて、トラッキング動作が開始される（ステップＳ１２）。【０２５５】
なお、この動作開始コマンドを含めた各種コマンド、ユーザデータや制御データを含む各種データの受け渡しは、ホスト側のバス２０６及びデータ入出力制御部２１３、並びにドライブ側のバス１０６及びデータ入出力制御部１１３を介して行われる。【０２５６】
続いて、ガイド層１２上で、第１ビームＬＢ１によるトラックＴＲへの照射が続けられ、記録用同期クロック等の元になる信号、マーク信号（更に、これらの少なくとも一方からプッシュプル法又はＤＰＤ法で得られるトラッキングエラー信号）が、マーク領域２２Ｇ，２２Ｌから検出される。更に、これらの信号の少なくとも一方として予め記録されたディスク管理情報が、ドライブ側のＣＰＵ１１１又はホスト側のＣＰＵ２１１等により取得される。【０２５７】
なお、ディスク管理情報は、ガイド層１２における、最内周側に位置するリードイン領域、ＴＯＣ（Ｔａｂｌｅ Ｏｆ Ｃｏｎｔｅｎｔ）領域などにまとめて、記録され読み出されてもよい。その内容は、既存のＤＶＤ、ＢＲディスク等におけるディスク管理情報に準拠したものでよい。管理情報については別途、記録層に特別に設けられたリードイン領域、ＴＯＣ領域などに予め若しくは別途先行して記録されており、これが本時点で又は任意の時点で読み出されてもよい。【０２５８】
次に、ドライブ側のＣＰＵ１１１又はホスト側のＣＰＵ２１１等により、要求されている動作が、データ記録であるか否かが判定される（ステップＳ１４）。ここで、データ記録である場合（ステップＳ１４：Ｙｅｓ）、新規なる光ディスク１１に対する記録処理が実行される（ステップＳ１５）。この記録処理については、後に詳述する（図１６参照）
他方、ステップＳ１４の判定にてデータ記録でない場合（ステップＳ１４：Ｎｏ）、又はステップＳ１５にて新規なる光ディスク１１に対する記録処理が完了された場合、ドライブ側のＣＰＵ１１１又はホスト側のＣＰＵ２１１等により、要求されている動作が、データ再生であるか否かが判定される（ステップＳ１６）。ここで、データ再生である場合（ステップＳ１６：Ｙｅｓ）、新規なる光ディスク１１に対する再生処理が実行される（ステップＳ１７）。この再生処理については、後に詳述する（図３１〜図３３参照）。【０２５９】
ステップＳ１６の判定にてデータ再生でない場合（ステップＳ１６：Ｎｏ）、又はステップＳ１７にて新規なる光ディスク１１に対する再生処理が完了された場合、イジェクト（Ｅｊｅｃｔ）、即ちトレイの排出などが、操作ボタン２０３等を介して要求されているか否かが判定される（ステップＳ１８）。ここで、イジェクトが要求されていなければ（ステップＳ１８：Ｎｏ）、ステップＳ１４に戻って、再び、それ以降のステップが実行される。【０２６０】
他方、ステップＳ１８の判定にてイジェクトが要求されている場合に（ステップＳ１８：Ｎｏ）、イジェクト動作が実行され（ステップＳ１９）、光ディスク１１に対する一連の記録再生処理が完了する。【０２６１】
次に図３０を参照して、新規の光ディスク１１に対する記録処理（図２９のステップＳ１５）の一例について、説明する。【０２６２】
図３０において、記録処理が開始されると、先ず、ＣＰＵ１１１及び信号記録再生部１０３による制御下で、ガイド層１２上において、第１ビームＬＢ１によるトラックＴＲへの照射が続けられたまま（即ち、トラッキング動作が実行されたまま）、記録用同期クロック信号の元となる信号、マーク信号が、マーク領域２２Ｇ，２２Ｌから検出される。これにより、ＣＰＵ１１１等により、トラックＴＲ上におけるアドレス情報が取得される。このアドレス情報を参照することで、ＣＰＵ２１１等により、データの記録を開始すべきアドレスとして指定された、所望の記録アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ２０１）。【０２６３】
続いて、ＣＰＵ１１１及び信号記録再生部１０３による制御下で、光ピックアップ１０２によって、データを記録すべき所望の記録層１３へと、第２ビームＬＢ２のフォーカスサーボがかけられる（ステップＳ２０２）。【０２６４】
続いて、トラッキングサーボ部１５２（図２５参照）によって光ピックアップ１０２を制御することで、ガイド層１２に対してトラッキングサーボをかける。即ち、トラッキングエラーの検出極性を、グルーブサーボ側に切替え若しくは維持するか、又はランドサーボ側に切替え若しくは維持し、サーボクローズとする（ステップＳ２０３）。【０２６５】
続いて、記録クロック生成部１５８にて、マーク領域２２Ｇ、２２Ｌから検出されるマークを用いて、記録用同期クロック、記録スタートタイミング等（図２５〜図２８参照）を生成する（ステップＳ２０４）。【０２６６】
続いて、記録系データ処理部１５４等（図２５参照）にて、現在の光スポットＳＰ１が、記録スタートタイミングを通過したか否か、即ち、記録層への記録を開始すべきか否かが判定される（ステップＳ２０５）。【０２６７】
ここで記録スタートタイミングを通過した場合には（ステップＳ２０５：Ｙｅｓ）、第２ビームＬＢ２により所望の記録層１３に対する記録が開始される（ステップＳ２０６）。【０２６８】
ステップＳ２０６の後に、又は記録スタートタイミングでない場合に（ステップＳ２０５：Ｎｏ）、記録系データ処理部１５４等（図２５参照）にて、記録しようとするトラックが、ランドからグルーブへ切り替えられるか否かが判定される（ステップＳ２０７）。【０２６９】
ここで、ランドからグルーブへ切り替えられる場合（ステップＳ２０７：Ｙｅｓ）、記録系データ処理部１５４等（図２５参照）にて、現在の光スポットＳＰ１が、記録スタートタイミングを通過したか否か、即ち、記録層への記録を開始すべきか否かが、更に判定される（ステップＳ２１１）。【０２７０】
ここで記録スタートタイミングを通過した場合には（ステップＳ２１１：Ｙｅｓ）、第２ビームＬＢ２により所望の記録層１３に対する記録が開始される（ステップＳ２１２）。これは、光スポットＳＰ１が、グルーブトラックでもランドトラックでもなく、それらの間に位置する切替領域に位置した場合にも、記録開始を可能とさせるためである。【０２７１】
ステップＳ２１２の後に、又は記録スタートタイミングでない場合に（ステップＳ２１１：Ｎｏ）、記録系データ処理部１５４等（図２５参照）により、トラッキングサーボ極性が、ランドからグルーブへ切り替えられる（ステップＳ２１３）。【０２７２】
他方で、ステップＳ２０７の判定において、ランドからグルーブへ切り替えられない場合（ステップＳ２０７：Ｎｏ）、更に、記録系データ処理部１５４等（図２５参照）にて、記録しようとするトラックが、グルーブからランドへ切り替えられるか否かが判定される（ステップＳ２２０）。【０２７３】
ここで、グルーブからランドへ切り替えられる場合（ステップＳ２２０：Ｙｅｓ）、記録系データ処理部１５４等（図２５参照）にて、現在の光スポットＳＰ１が、記録スタートタイミングを通過したか否か、即ち、記録層への記録を開始すべきか否かが、更に判定される（ステップＳ２２１）。【０２７４】
ここで記録スタートタイミングを通過した場合には（ステップＳ２２１：Ｙｅｓ）、第２ビームＬＢ２により所望の記録層１３に対する記録が開始される（ステップＳ２２２）。これは、光スポットＳＰ１が、グルーブトラックでもランドトラックでもなく、それらの間に位置する切替領域に位置した場合にも、記録開始を可能とさせるためである。【０２７５】
ステップＳ２２２の後に、又は記録スタートタイミングを通過していない場合に（ステップＳ２２１：Ｎｏ）、記録系データ処理部１５４等（図２５参照）により、トラッキングサーボ極性が、グルーブからランドへ切り替えられる（ステップＳ２２３）。【０２７６】
上述のステップＳ２１３若しくはステップＳ２２３の処理の後、又は、ステップＳ２２０の判定にてグルーブからランドへ切り替えられない場合（ステップＳ２２０：Ｎｏ）、ＣＰＵ１１１等により、所定量の記録が終了したか否かがモニタリングされる（ステップＳ２１４）。ここで、記録が終了しない限り、記録層１３へのデータの記録が継続される（ステップＳ２１４:Ｎｏ）。【０２７７】
ここで、記録が終了すると（ステップＳ２１４：Ｙｅｓ）、記録したデータに応じて、管理情報が更新される（ステップＳ２１５）。管理情報は、複数の記録層１３の少なくとも一つに設けられたリードイン領域、ＴＯＣ領域などにまとめて記録されてよい。その位置は内周側であってもよいが外周側や途中であってもよいし、多少分散された形で記録されてもよい。これに加えて又は代えて、メモリ１１２、メモリ２１２等内に設けられており、光ディスク１１に紐付けられた管理情報が更新されてもよい。【０２７８】
以上により、新規の光ディスク１１に対する一連の記録処理（図２９のステップＳ１５）が完了する。【０２７９】
次に図３１を参照して、新規の光ディスク１１に対する再生処理（図２９のステップＳ１７）の一例について、説明する。この例は、記録処理時のみならず再生処理時にも、第１ビームＬＢが、クロック（即ち、再生用同期クロック）、トラッキング等のために、用いられる例である。【０２８０】
図３１において、再生処理が開始されると、先ず、ＣＰＵ１１１及び信号記録再生部１０３による制御下で、ガイド層１２上において、第１ビームＬＢ１によるトラックＴＲへの照射が続けられたまま（即ち、トラッキング動作が実行されたまま）、再生用同期クロック信号の元となる信号、ウォブル信号及びプリピット信号が、マーク領域２２Ｇ，２２Ｌから検出される。これにより、ＣＰＵ１１１等により、トラックＴＲ上におけるアドレス情報が取得される。このアドレス情報を参照することで、ＣＰＵ２１１等により、データの記録を開始すべきアドレスとして指定された、所望の記録アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ３０１）。【０２８１】
続いて、ＣＰＵ１１１及び信号記録再生部１０３による制御下で、光ピックアップ１０２によって、データを再生すべき所望の記録層１３へと、第２ビームＬＢ２のフォーカスサーボがかけられる（ステップＳ３０２）。【０２８２】
続いて、トラッキングサーボ部１５２（図２５参照）によって光ピックアップ１０２を制御することで、ガイド層１２に対してトラッキングサーボをかける。即ち、トラッキングエラーの検出極性を、グルーブサーボ側に切替え若しくは維持するか、又はランドサーボ側に切替え若しくは維持し、サーボクローズとする（ステップＳ３０３）。【０２８３】
続いて、記録クロック生成部１５８にて、マーク領域２２Ｇ、２２Ｌから検出されるマークを用いて、再生用同期クロック、再生スタートタイミング等（図２５〜図２８参照）を生成する（ステップＳ３０４）。【０２８４】
続いて、再生系データ処理部１５５等（図２５参照）にて、現在の光スポットＳＰ１が、再生スタートタイミングを通過したか否か、即ち、記録層からの再生を開始すべきか否かが判定される（ステップ３０５）。【０２８５】
ここで再生スタートタイミングを通過した場合には（ステップＳ３０５：Ｙｅｓ）、第２ビームＬＢ２により所望の記録層１３に対する再生が開始される（ステップＳ３０６）。【０２８６】
ステップＳ３０６の後に、又は再生スタートタイミングを通過していない場合に（ステップＳ３０５：Ｎｏ）、再生系データ処理部１５５等（図２５参照）にて、再生しようとするトラックが、ランドからグルーブへ切り替えられるか否かが判定される（ステップＳ３０７）。【０２８７】
ここで、ランドからグルーブへ切り替えられる場合（ステップＳ３０７：Ｙｅｓ）、再生系データ処理部１５５等（図２５参照）にて、現在の光スポットＳＰ１が、再生スタートタイミングを通過したか否か、即ち、記録層からの再生を開始すべきか否かが、更に判定される（ステップＳ３１１）。【０２８８】
ここで再生スタートタイミングを通過した場合には（ステップＳ３１１：Ｙｅｓ）、第２ビームＬＢ２により所望の記録層１３に対する再生が開始される（ステップＳ３１２）。これは、光スポットＳＰ１が、グルーブトラックでもランドトラックでもなく、それらの間に位置する切替領域に位置した場合にも、再生開始を可能とさせるためである。【０２８９】
ステップＳ３１２の後に、又は再生スタートタイミングを通過していない場合に（ステップＳ３１１：Ｎｏ）、再生系データ処理部１５５等（図２５参照）により、トラッキングサーボ極性がランドからグルーブへ切り替えられる（ステップＳ３１３）。【０２９０】
他方で、ステップＳ３０７の判定において、ランドからグルーブへ切り替えられない場合（ステップＳ３０７：Ｎｏ）、更に、再生系データ処理部１５５等（図２５参照）にて、再生しようとするトラックが、グルーブからランドへ切り替えられるか否かが判定される（ステップＳ３２０）。【０２９１】
ここで、グルーブからランドへ切り替えられる場合（ステップＳ３２０：Ｙｅｓ）、再生系データ処理部１５５等（図２５参照）にて、現在の光スポットＳＰ１が、再生スタートタイミングを通過したか否か、即ち、記録層への記録を開始すべきか否かが、更に判定される（ステップＳ３２１）。【０２９２】
ここで再生スタートタイミングを通過した場合には（ステップＳ３２１：Ｙｅｓ）、第２ビームＬＢ２により所望の記録層１３に対する再生が開始される（ステップＳ２２２）。これは、光スポットＳＰ１が、グルーブトラックでもランドトラックでもなく、それらの間に位置する切替領域に位置した場合にも、再生開始を可能とさせるためである。【０２９３】
ステップＳ３２２の後に、又は再生スタートタイミングを通過していない場合に（ステップＳ３２１：Ｎｏ）、再生系データ処理部１５５等（図２５参照）により、トラッキング極性がグルーブからランドへ切り替えられる（ステップＳ３２３）。【０２９４】
上述のステップＳ３１３若しくはステップＳ３２３の処理の後、又は、ステップＳ３２０の判定にてグルーブからランドへ切り替えられない場合（ステップＳ３２０：Ｎｏ）、ＣＰＵ１１１等により、所定量の再生が終了したか否かがモニタリングされる（ステップＳ３１４）。ここで、再生が終了しない限り、記録層１３からのデータの再生が継続される（ステップＳ３１４:Ｎｏ）。【０２９５】
ここで、再生が終了すると（ステップＳ３１４：Ｙｅｓ）、再生したデータに応じて、管理情報が更新される（ステップＳ３１５）。管理情報は、複数の記録層１３の少なくとも一つに設けられたリードイン領域、ＴＯＣ領域などにまとめて記録されてよい。その位置は内周側であってもよいが外周側や途中であってもよいし、多少分散された形で記録されてもよい。これに加えて又は代えて、メモリ１１２、メモリ２１２等内に設けられており、光ディスク１１に紐付けられた管理情報が更新されてもよい。【０２９６】
以上により、新規の光ディスク１１に対する一連の再生処理（図２９のステップＳ１７）が完了する。【０２９７】
次に図３２を参照して、新規の光ディスク１１に対する再生処理（図２９のステップＳ１７）の他の例について、説明する。この例は、再生処理時に第１ビームＬＢが、クロック（即ち、再生用同期クロック）発生、トラッキング等のために、用いられない例である。即ち、この例では、記録処理時と異なり、第２ビームＬＢ２が、クロック発生用及びトラッキング用にも用いられる。【０２９８】
図３２において、ＣＰＵ１１１及び信号記録再生部１０３による制御下で、光ピックアップ１０２によって、データを再生すべき所望の記録層１３へと、第２ビームＬＢ２のフォーカスサーボがかけられ、これと相前後して或いは並行して、第２ビームＬＢ２による記録済情報トラックへのトラッキングサーボがかけられる（ステップＳ３１）。【０２９９】
続いて、ＣＰＵ１１１等により、記録済情報トラック上における記録済のアドレス情報が取得される。このアドレス情報を参照することで、ＣＰＵ２１１等により、所望のデータの再生を開始すべきアドレスとして指定された、所望の再生アドレスがサーチされる。即ち、第２ビームＬＢ２がそのアドレス位置へと移動される（ステップＳ３２）。【０３００】
続いて、光ピックアップ１０２によって、トラッキングサーボ及びフォーカスサーボが閉じられた状態で、第２ビームＬＢ２に起因する反射光を、対物レンズ１０２Ｌを介して受光することで、所望の記録層１３からのデータの再生が開始される（ステップＳ３３）。【０３０１】
続いて、ＣＰＵ１１１等により、所定量の再生が終了したか否かがモニタリングされる（ステップＳ３４）。ここで、再生が終了しない限り、記録層１３からのデータの再生が継続される（ステップ３４:Ｎｏ）。【０３０２】
これらのステップＳ３１〜Ｓ３４の処理に並行して或いは相前後して、第２ビームＬＢ２が、記録層１３から再生用同期クロックの元となる信号の発生用に用いられ、再生用同期クロックの発生や再生タイミングの生成動作が実行される。【０３０３】
ここで、再生が終了すると（ステップＳ３４：Ｙｅｓ）、新規の光ディスク１１に対する一連の記録処理（図２９のステップＳ１７）が完了する。【０３０４】
次に図３３を参照して、新規の光ディスク１１に対する再生処理（図２９のステップＳ１７）の更に他の例について、説明する。この例は、記録処理時のみならず、再生処理時に第１ビームＬＢがトラッキングのために用いられると共に、再生用同期クロックの発のためには用いられない例である。即ち、この例では、記録処理時と異なり、第２ビームＬＢ２が、クロック発生用にも用いられる。【０３０５】
図３３において、ＣＰＵ１１１及び信号記録再生部１０３による制御下で、光ピックアップ１０２によって、ガイド層１２へと、第１ビームＬＢ１のフォーカスサーボがかけられ、これと相前後して或いは並行して、第１ビームＬＢ１によるトラックＴＲへのトラッキングサーボがかけられる。更に、ＣＰＵ１１１等により、トラックＴＲ上におけるウォブルやプリピットから、アドレス情報が取得される。このアドレス情報を参照することで、ＣＰＵ２１１等により、データの再生を開始すべきアドレスとして指定された、所望の再生アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ４１）。【０３０６】
続いて、トラッキングサーボがかけられたまま、ＣＰＵ１１１及び信号記録再生部１０３による制御下で、光ピックアップ１０２によって、データを再生すべき所望の記録層１３へと、第２ビームＬＢ２のフォーカスサーボがかけられる（ステップＳ４２）。【０３０７】
続いて、光ピックアップ１０２によって、第1ビームＬＢ１にてトラッキングサーボが閉じられており且つ第２ビームＬＢ２にてフォーカスサーボが閉じられた状態で、第２ビームＬＢ２に起因する反射光を、対物レンズ１０２Ｌを介して受光することで、所望の記録層１３からのデータの再生が開始される（ステップＳ４３）。【０３０８】
続いて、ＣＰＵ１１１等により、所定量の再生が終了したか否かがモニタリングされる（ステップＳ４４）。ここで、再生が終了しない限り、記録層１３からのデータの再生が継続される（ステップ４４:Ｎｏ）。【０３０９】
これらのステップＳ４１〜Ｓ４４の処理に並行して或いは相前後して、第２ビームＬＢ２が、記録層１３から再生用同期クロックの元となる信号の発生用に用いられ、再生用同期クロックの発生や再生タイミングの生成動作が実行される。【０３１０】
ここで、再生が終了すると（ステップＳ４４：Ｙｅｓ）、新規の光ディスク１１に対する一連の再生処理（図２９のステップＳ１７）が完了する。
＜各種変形例＞
以下、実施例の各種変形例について図３４から図３７を参照して説明する。【０３１１】
上述の如く本実施例に係る光ディスク１１では、その径方向の幅が一定であり且つトラック方向の長さが適宜に変調されている、短く分断して掘られた複数のグルーブの、トラックに沿った連続的且つ直線的な配列（言い換えれば「マークパターン」或いは「マーク」）がトラックとされている。或いは、短く分断して掘られた複数のランドの、トラックに沿った連続的且つ直線的な配列（言い換えれば「マークパターン」或いは「マーク」）がトラックとされている。トラックはウォブリングされていない。例えば、プリエンボス加工により、マークパターンを形成すれば、このような構造のトラックを、各マーク領域２２Ｇ，２２Ｌに構築可能となる。以下、このような構造とは異なる物理構造にて、ガイド情報を担持する変形例について、図３４〜図３６を参照して説明する。【０３１２】
図３４の本実施例では、ウォブルＷＢとランドプリピットＬＰＰ１とから、マーク領域のトラックが構成されている。ここに、ウォブルＷＢとランドプリピットＬＰＰ１との周期を整数倍の関係とし、更に、ウォブルＷＢの各頂点に、ランドプリピットＬＬＰ１が形成されている。このため、プリピット信号及びウォブル信号の検出を容易にすることができる
図３５の変形例では、グルーブトラックのウォブルＷＢ１の各頂点に、ウォブル振幅（振れ量）が局所的に高められた急カーブ部分５０１が設けられている。即ち、プリピットなしで、特殊なウォブルＷＢ１から、マーク領域のトラックが構成されている。この場合にも、ウォブル信号の検出を容易にすることができる
図３６の変形例では、短く分断して掘られた複数のグルーブ５０２の、トラックに沿った連続的な配列自体がウォブリングされることで、ウォブルＷＢ２が形成されている。例えば、プリエンボス加工により、ウォブルＷＢ２を形成すれば、このような構造のトラックＴＲｗを、各マーク領域に構築可能となる。【０３１３】
なお、上述した本実施例における緩衝領域、ストレートグルーブ若しくはストレートランド、及び鏡面領域に形成される物理的なトラック構成についても各種の組み合わせによる変形が可能である。【０３１４】
次に図３７は、上述した本実施例における光ディスク１１の基本的な層構成（図１及び図２参照）の変形例を示す。ここに図３７は、本変形例の光ディスクの図１と同趣旨の模式的な斜視図である。【０３１５】
図３７において、光ディスク１１の変形例では、二層のガイド層１２ａ及び１２ｂが設けられる。例えば、ガイド層１２ａのトラックＴＲ―ａに、内周から外周へ向うアドレス位置を示す第１アドレス情報を担持させる。ガイド層１２ｂのトラックＴＲ−bに、外周から内周へ向うアドレス位置を示す第２アドレス情報を担持させる。この場合更に、記録層１３についても、第１アドレス情報に従って記録される第１記録層と第２アドレス情報に従って記録される第２記録層とに使い分けをし、第１記録層に対するガイドは、ガイド層１２ａを用いて行い、第２記録層に対するガイドは、ガイド層１２ｂを用いて行う。このように構成すれば、一又は複数の第１記録層にて、内周から外周へ向って情報を記録し、一又は複数の第２記録層にて、外周から内周へ向って情報を記録する動作が、効率良くなる或いは容易となる。しかも、記録動作の信頼性及び安定性についても、二種類のアドレス情報を使い分けることによって、顕著に高められる。よって、連続して双方向に又は任意若しくは独立にて双方向に記録可能な光ディスク１１を実現可能となる。【０３１６】
例えば、記録層の１層目を内周から外周に向かって記録再生し、記録層の２層目を外周から内周に向って記録再生をすることにすれば、これら二層間で記録再生を切り替える時間は、ほぼ層間ジャンプを行うだけの時間で済むので、複数の記録層に跨るように連続して、記録再生を行う際に、極めて有利となる。言い換えれば、２層ディスクにおける所謂「Opposite 記録」或いは「Opposite再生」と同様の効果が得られる。即ち、記録するデータとして、ビデオデータ等のリアルタイムに連続したデータを本変形例の光ディスク１１を用いて、記録しておくと、再生時において、特に第１記録層の終わりから第２記録層の始まりにかけては、殆ど層間ジャンプの時間のみで到達できる。これは、図１に示した実施例の場合に、層間ジャンプと、光ピックアップ１０２の位置を、外周から内周に戻す時間が更に加算されることを考えると非常に有利である。図１に示した実施例の場合に、データを途切れなく再生するためには、多量のメモリーを記録再生装置１０１に備えればよい。【０３１７】
このように図３７の変形例を併用することで、安価に、容易に、再生装置において連続再生が可能となる。【０３１８】
以上詳細に説明したように、本実施例及び変形例によれば、トラックＴＲに沿ったマーク領域２２Ｇ，２２Ｌの配置間隔（配置ピッチ）を所定距離以下とし、更に、光ディスク１１の全面にマーク領域２２Ｇ，２２Ｌを（離散的に）配置したので、ガイド層１２の光ディスク１１の内周から外周に亘って、どの位置においても、サンプリングにより、連続した記録用同期クロック及びトラッキング信号を取得することができる。【０３１９】
また特に、記録層１３におけるデータフォーマットの構成単位とウォブルＷＢの１周期とを整数倍の関係とし、ウォブルＷＢの１周期の整数倍としてスロットを構成し、マーク領域２２Ｇ，２２Ｌをこの区間に対応させたので、隣接トラックＴＲにおけるマーク領域２２Ｇ，２２Ｌ領域同士が重ならないような（即ち、記録用同期クロック、ウォブル信号やプリピット信号にクロストークが発生しないような）適応配置が容易となる。このようにして得られる記録用同期クロックやウォブル信号は、ＰＬＬ（Ｐｈａｓｅ  Ｌｏｃｋｅｄ  Ｌｏｏｐ）回路を介して、ロバスト性に優れたタイミング基準信号生成として、或いは、記録スタート時のタイミング信号生成として利用できる。【０３２０】
以上詳細に説明したように、本実施例によれば、次のような効果が得られる。
（１）マーク領域２２Ｇ，２２Ｌとして、所定範囲の長さから成る、信号分離可能なマーク群のみを含むマーク構造を有する領域を設けたので（図３等参照）、連続したグルーブ及び連続したランドを形成することができる。ガイド層１２のトラッキング信号生成をランド／グルーブ方式にできる。更に、その他必要な各種情報（前述の第１〜第６要求事項等参照）を生成できる。特に、マークの離散配置とトラック横切り信号生成との両立を図れる。トラック横切り信号やジャンプのためのトラック横切り信号を光ディスク１１の全面で生成可能なので、トラッキングサーボのクローズ動作がいずれの場所でも容易となる。ジャンプ動作を所望の位置で行うことも可能となる。
（２）所定の長さの緩衝領域２１Ｇ，２１Ｌを設けたので（図９〜図１２参照）、適応配置のためのスロット数を減らすことができ、配置規則も容易となる。ＣＬＶによる１周長さの違いによる位置ずれを、ビーム径とトラックピッチから決定される複数トラックに渡る影響を回避するように、緩衝領域の長さを設定したので、重ならないように配置するためのスロット数を最小限で構成できる。
（３）所定の長さの緩衝領域２１Ｇ，２１Ｌは、グルーブトラックではグルーブ構造として、ランドトラックではランド構造として構築しているので、グルーブ上でのトラッキングサーボは、グルーブ上に配置したマークとは無関係に、連続したグルーブトラッキングが可能となる。またランド上でのトラッキングサーボは、ランド上に配置したマークとは無関係に、連続したランドトラッキングが可能となる（図１９及び図２０等参照）。
（４）所定範囲の長さか成るマーク群を、所定のエリアで重ならないように離散的に配置したので、光ディスク１１上のどの位置でも、アドレス情報が取得できる。特に、図８に示した１Recording Unit Block 単位での構成例によれば、他の記録層１３への記録データフォーマットが、例えばＢＤ−Ｒフォーマット準拠であるとした場合、ガイド層１２の読取ビームである第１ビームＬＢ１が、このＢＤ−Ｒフォーマット用の読取ビームである第２ビームＬＢ２より低密度用であるために発生する新たな問題を解決する手段を講じたとしても、記録用プリフォーマットとして必要なプリアドレス等のデータを、所望の情報量形成しておくことができる。
（５）１グループ内のスロット適応配置例（図２３等参照）によれば、隣接ランドに配置されたマークのみならず、隣接グルーブに配置されたマークの影響を排除できるため、必要なデータ、タイミング、の取得が可能となる。マーク領域２２Ｇとマーク領域２２Ｌとの間隔は、所定の間隔以下になるようにして、光ディスク１１の全面に配置したので、ガイド層１２の光ディスク１１の内周から外周に渡って、どの位置においても、サンプリングにより、所定帯域の、光ディスク１１の位置に同期した、記録クロック信号の生成が可能となる。しかも、所定の位置からの記録タイミングの生成も容易となる。記録層１３のデータフォーマットの構成単位とスロットを構成するユニット長が、所定の整数比の関係にあり（図８等参照）、整数倍のスロットから１グループを構成し、少なくともその１つのスロットにマークを配置させている。このため、所定の間隔が容易に設定でき、配置されたマークに同期したクロックが容易に生成できるので、記録クロックの生成、及び記録スタートのタイミング生成が容易となる。
（６）ランド／グルーブ切替エリア１２ＳＡの長さを、所定の長さ（１グループの整数倍）に設定したので、所定のマークが配置されないランド／グルーブ切替エリア１２ＳＡにおいて、記録層１３に記録するデータの先頭がランド／グルーブ切替エリア１２ＳＡにある時でも、記録スタートタイミング等の必要なタイミングを容易に生成できる。
（７）ランド／グルーブ切替エリア１２ＳＡにおいて、隣接グルーブ或いは隣接ランド間で、２種（複数）の切替信号生成マークを、隣接グルーブ或いは隣接ランドで、１スロットずらして重ならないように配置している。このため、隣接トラックからの切替信号検出への影響を除去でき、ランド／グルーブ切替タイミング情報を、良好に取得できる。
（８）ランド／グルーブ切替エリア１２ＳＡが、所定量（１グループ分）だけトラック方向にずれたら、所定量、その位置をシフトするようにしている。このため、ランド／グルーブ切替エリア１２ＳＡは、ほぼ、ディスクの半径方向の所定位置となり、ＣＬＶであるにもかかわらず、ランド／グルーブの利用効率がよくなる。【０３２１】
また、本発明は、請求の範囲及び明細書全体から読み取るこのできる発明の要旨又は思想に反しない範囲で適宜変更可能であり、そのような変更を伴う情報記録媒体、情報記録装置及び方法、並びに情報再生装置及び方法もまた本発明の技術思想に含まれる。
【符号の説明】
【０３２２】
１１  光ディスク
１２  ガイド層
１２ＳＡ  ランド／グルーブ切替エリア
１３  記録層
２０Ｇ  グルーブトラック
２０Ｌ  ランドトラック
２１Ｇ，２１Ｌ  緩衝領域
２２Ｇ，２２Ｌ  マーク領域
ＴＲ  トラック
ＬＢ１  第１ビーム
ＬＢ２  第２ビーム
ＳＰ１  光スポット
１０２  光ピックアップ
１０２Ｌ  対物レンズ
１０１  記録再生装置
２０１  ホストコンピュータ
【図１】
2011158376.tif 000006
【図２】
2011158376.tif 000007
【図３】
2011158376.tif 000008
【図４】
2011158376.tif 000009
【図５】
2011158376.tif 000010
【図６】
2011158376.tif 000011
【図７】
2011158376.tif 000012
【図８】
2011158376.tif 000013
【図９】
2011158376.tif 000014
【図１０】
2011158376.tif 000015
【図１１】
2011158376.tif 000016
【図１２】
2011158376.tif 000017
【図１３】
2011158376.tif 000018
【図１４】
2011158376.tif 000019
【図１５】
2011158376.tif 000020
【図１６】
2011158376.tif 000021
【図１７】
2011158376.tif 000022
【図１８】
2011158376.tif 000023
【図１９】
2011158376.tif 000024
【図２０】
2011158376.tif 000025
【図２１】
2011158376.tif 000026
【図２２】
2011158376.tif 000027
【図２３】
2011158376.tif 000028
【図２４】
2011158376.tif 000029
【図２５】
2011158376.tif 000030
【図２６】
2011158376.tif 000031
【図２７】
2011158376.tif 000032
【図２８】
2011158376.tif 000033
【図２９】
2011158376.tif 000034
【図３０】
2011158376.tif 000035
【図３１】
2011158376.tif 000036
【図３２】
2011158376.tif 000037
【図３３】
2011158376.tif 000038
【図３４】
2011158376.tif 000039
【図３５】
2011158376.tif 000040
【図３６】
2011158376.tif 000041
【図３７】
2011158376.tif 000042
【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
ＣＬＶ方式の情報記録媒体であって、
予めトラックが形成されたガイド層と、
該ガイド層上に積層された複数の記録層と
を備え、
前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、
前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置され、
前記複数のスロットは、前記トラック方向の長さが相互に等しく、前記トラック方向に隙間無く配列されている
ことを特徴とする情報記録媒体。
【請求項２】
前記トラックは、少なくとも一部において、グルーブ構造を有するグルーブトラックとランド構造を有するランドトラックとが、交互に形成されてなり、
前記物理構造は、前記トラック方向に所定範囲の長さを有する１つ以上のマーク群を有する
ことを特徴とする請求項１に記載の情報記録媒体。
【請求項３】
前記複数のガイド領域は、前記トラック方向に所定長さの緩衝領域を含み、
該緩衝領域は、少なくとも一部において、前記グルーブトラックがストレートグルーブ構造を有すると共に前記ランドトラックがストレートランド構造を有すると共に、前記グルーブトラックがストレートランド構造を有してなり、
前記緩衝領域の前記トラック方向の長さは、前記スロットの前記トラック方向の長さと所定の整数比の関係にある
ことを特徴とする請求項２に記載の情報記録媒体。
【請求項４】
前記複数のガイド領域は、前記グルーブトラックとランドトラックとを相互に切り替えるためのランド／グルーブ切替領域を含み、
該ランド／グルーブ切替領域は、少なくとも一部において、前記トラックに沿って前記スロットの整数倍の長さを有する
ことを特徴とする請求項２に記載の情報記録媒体。
【請求項５】
前記ランド／グルーブ切替領域は、前記スロットの整数倍を単位として、前記径方向に揃うように配置されていることを特徴とする請求項４に記載の情報記録媒体。
【請求項６】
（削除）
【請求項７】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持することを特徴とする請求項１に記載の情報記録媒体。
【請求項８】
前記ガイド領域が配置される複数のスロットは、（ｉ）少なくとも前記記録層に対する情報記録時に前記トラックに対して照射され且つ集光される光ビームにより、前記トラック上に形成される光スポットの径と、（ｉｉ）前記トラックの前記径方向のピッチと、（ｉｉｉ）前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、（ｉｖ）前記スロットの前記トラック方向の長さとに基づいて、前記光スポット内に同時に含まれない複数のスロットとして選定されていることを特徴とする請求項１に記載の情報記録媒体。
【請求項９】
前記物理構造は、前記ガイド情報の他種類として、前記トラック方向に沿って内周から外周又は外周から内周へ向うアドレス位置を示すアドレス情報を担持することを特徴とする請求項１に記載の情報記録媒体。
【請求項１０】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置され、前記複数のスロットは、前記トラック方向の長さが相互に等しく、前記トラック方向に隙間無く配列されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたタイミング情報を取得する情報取得手段と、
前記取得されたタイミング情報により規定されるタイミングで、前記一の記録層に前記第２光ビームを照射し且つ集光することで、前記データを記録するように前記光照射手段を制御するデータ記録制御手段と
を備えることを特徴とする情報記録装置。
【請求項１１】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置され、前記複数のスロットは、前記トラック方向の長さが相互に等しく、前記トラック方向に隙間無く配列されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたタイミング情報を取得する情報取得工程と、
前記取得されたタイミング情報により規定されるタイミングで、前記一の記録層に前記第２光ビームを照射し且つ集光することで、前記データを記録するように前記光照射手段を制御するデータ記録制御工程と
を備えることを特徴とする情報記録方法。
【請求項１２】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置され、前記複数のスロットは、前記トラック方向の長さが相互に等しく、前記トラック方向に隙間無く配列されている情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたタイミング情報を取得する情報取得手段と、
前記取得されたタイミング情報により規定されるタイミングで、前記一の記録層からの前記照射され且つ集光された第２光ビームに基づく第２光を受光し、該受光された第２光に基づき前記データを取得するデータ取得手段と
を備えることを特徴とする情報再生装置。
【請求項１３】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置、前記複数のスロットは、前記トラック方向の長さが相互に等しく、前記トラック方向に隙間無く配列されている情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたタイミング情報を取得する情報取得工程と、
前記取得されたタイミング情報により規定されるタイミングで、前記一の記録層からの前記照射され且つ集光された第２光ビームに基づく第２光を受光し、該受光された第２光に基づき前記データを取得するデータ取得工程と
を備えることを特徴とする情報再生方法。
【手続補正書】
【提出日】平成25年2月22日(2013.2.22)
【手続補正１】
【補正対象書類名】特許請求の範囲
【補正対象項目名】全文
【補正方法】変更
【補正の内容】
【特許請求の範囲】
【請求項１】
ＣＬＶ方式の情報記録媒体であって、
予めトラックが形成されたガイド層と、
該ガイド層上に積層された複数の記録層と
を備え、
前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されており、
前記複数のガイド領域は、前記トラックが前記トラック方向に区分されてなる複数のスロットのうち、前記トラック方向に相隣接しておらず且つ前記径方向に前記複数のトラックに渡って相隣接していない一部の複数のスロット内に、配置されている
ことを特徴とする情報記録媒体。
【請求項２】
前記トラックは、少なくとも一部において、グルーブ構造を有するグルーブトラックとランド構造を有するランドトラックとが、交互に形成されてなり、
前記物理構造は、前記トラック方向に所定範囲の長さを有する１つ以上のマーク群を有する
ことを特徴とする請求項１に記載の情報記録媒体。
【請求項３】
前記複数のガイド領域は、前記トラック方向に所定長さの緩衝領域を含み、
該緩衝領域は、少なくとも一部において、前記グルーブトラックがストレートグルーブ構造を有すると共に前記ランドトラックがストレートランド構造を有してなる
ことを特徴とする請求項２に記載の情報記録媒体。
【請求項４】
前記複数のガイド領域は、前記グルーブトラックとランドトラックとを相互に切り替えるためのランド／グルーブ切替領域を含み、
該ランド／グルーブ切替領域は、少なくとも一部において、前記トラックに沿って前記スロットの整数倍の長さを有する
ことを特徴とする請求項２に記載の情報記録媒体。
【請求項５】
前記ランド／グルーブ切替領域は、前記スロットの整数倍を単位として、前記径方向に揃うように配置されていることを特徴とする請求項４に記載の情報記録媒体。
【請求項６】
前記複数のスロットは、前記トラック方向の長さが相互に等しく、前記トラック方向に
隙間無く配列されていることを特徴とする請求項１に記載の情報記録媒体。
【請求項７】
前記物理構造は、前記スロットの前記トラック方向の長さと、前記複数の記録層に夫々記録されることになるデータのフォーマットの構成単位の前記トラック方向の長さとが、所定の整数比となるように、前記ガイド情報を担持することを特徴とする請求項１に記載の情報記録媒体。
【請求項８】
前記ガイド領域が配置される複数のスロットは、（ｉ）少なくとも前記記録層に対する情報記録時に前記トラックに対して照射され且つ集光される光ビームにより、前記トラック上に形成される光スポットの径と、（ｉｉ）前記トラックの前記径方向のピッチと、（ｉｉｉ）前記ＣＬＶ方式に準拠して周回毎に前記径方向に相隣接する二つのスロット間の相対位置が、ＣＡＶ方式に準拠したと仮定した場合に比べて前記トラック方向に沿ってずれる変位量と、（ｉｖ）前記スロットの前記トラック方向の長さとに基づいて、前記光スポット内に同時に含まれない複数のスロットとして選定されていることを特徴とする請求項１に記載の情報記録媒体。
【請求項９】
前記物理構造は、前記ガイド情報の他種類として、前記トラック方向に沿って内周から外周又は外周から内周へ向うアドレス位置を示すアドレス情報を担持することを特徴とする請求項１に記載の情報記録媒体。
【請求項１０】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記担持されたタイミング情報を取得する情報取得手段と、
前記取得されたタイミング情報により規定されるタイミングで、前記一の記録層に前記第２光ビームを照射し且つ集光することで、前記データを記録するように前記光照射手段を制御するデータ記録制御手段と
を備えることを特徴とする情報記録装置。
【請求項１１】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記担持されたタイミング情報を取得する情報取得工程と、
前記取得されたタイミング情報により規定されるタイミングで、前記一の記録層に前記第２光ビームを照射し且つ集光することで、前記データを記録するように前記光照射手段を制御するデータ記録制御工程と
を備えることを特徴とする情報記録方法。
【請求項１２】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体から、データを再生する情報再生装置であって、
前記ガイド層にトラッキング用の第１光ビームを照射し且つ集光することが可能であると共に前記複数の記録層のうち一の記録層にデータ再生用の第２光ビームを照射し且つ集光することが可能である光照射手段と、
前記ガイド層からの前記照射され且つ集光された第１光ビームに基づく第１光を受光し、該受光された第１光に基づき前記担持されたタイミング情報を取得する情報取得手段と、
前記取得されたタイミング情報により規定されるタイミングで、前記一の記録層からの前記照射され且つ集光された第２光ビームに基づく第２光を受光し、該受光された第２光に基づき前記データを取得するデータ取得手段と
を備えることを特徴とする情報再生装置。
【請求項１３】
ＣＬＶ方式の情報記録媒体であって、予めトラックが形成されたガイド層と、該ガイド層上に積層された複数の記録層とを備え、前記トラックには、ガイド用のガイド情報の一種類として前記複数の記録層に記録するためのタイミング情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されている情報記録媒体から、前記ガイド層にトラッキング用の第１光ビームを照射し且つ集光することが可能であると共に前記複数の記録層のうち一の記録層にデータ再生用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記担持されたタイミング情報を取得する情報取得工程と、
前記取得されたタイミング情報により規定されるタイミングで、前記一の記録層からの前記照射され且つ集光された第２光ビームに基づく第２光を受光し、該受光された第２光に基づき前記データを取得するデータ取得工程と
を備えることを特徴とする情報再生方法。
【国際調査報告】
2011158376.tif 000043
2011158376.tif 000044
2011158376.tif 000045
2011158376.tif 000046